(57)【要約】【課題】モニタを360度回転する可動式として、レンズ保護とモニタ保護とを実現する。【解決手段】カメラ100は、カメラ本体101と、モニタユニット102と、スライドユニット104を備える。カメラ本体101は、前面に収納式のレンズユニット105を備える。モニタユニット102は、電子ディスプレイ107を備える。スライドユニット104は、カメラ本体101の上面に取り付けたスライドベースユニット145と、このスライドベースユニット145に前後方向にスライド自在に支持した移動プレートユニット146とを備える。移動プレートユニット146は、モニタユニット102を360°回動可能に支持する。【選択図】図１
2005192093.tif 000002
【特許請求の範囲】
【請求項１】
本体側機能部を有する第１の面部、この第１の面部の反体側に向かう第２の面部、及びこれら第１の面部と第２の面部とを連接する第３の面部を備えた機器本体と、
この機器本体と電気的に接続されたパネル側機能部を備えた可動パネルと、
前記第２の面部に沿って前記第１の面部側と前記第３の面部側との間を所定方向に移動可能に支持されるとともに前記可動パネルを前記第２の面部と前記第１の面部及び前記第３の面部との交線に沿った方向を軸方向として回動可能に支持する支持機構と
を具備したことを特徴とする可動パネルを備えた電子機器。
【請求項２】
支持機構は、可動パネルが第１の面部及び第２の面部と平行な状態でのみ、前記可動パネルの所定方向の移動を許容する
ことを特徴とする請求項１記載の可動パネルを備えた電子機器。
【請求項３】
本体側機能部を有する第１の面部、この第１の面部の反体側に向かう第２の面部、及びこれら第１の面部と第２の面部とを連接する第３の面部を備えた機器本体と、
この機器本体と電気的に接続されたパネル側機能部を備えた可動パネルと、
前記第２の面部と前記第１の面部及び前記第３の面部との交線に沿った方向を軸方向とし互いに平行な第１の軸及び第２の軸を備え、これら軸を回転軸として前記可動パネルを回動可能に支持する支持機構と
を具備したことを特徴とする可動パネルを備えた電子機器。
【請求項４】
第１の軸及び第２の軸は、回動範囲が所定の角度範囲に規制され、可動パネルが第１の面部側から第２の面部側に回動する状態と、前記第２の面部側から前記第１の面部側に回動する状態とで移動軌跡が異なる
ことを特徴とする請求項３記載の可動パネルを備えた電子機器。
【請求項５】
第１の軸は、第１の面部と第２の面部との中央部に位置して、第３の面部に支持された
ことを特徴とする請求項３または４記載の可動パネルを備えた電子機器。
【請求項６】
第１の軸は、第１の面部と第３の面部との角部、及び、第２の面部と第３の面部との角部のいずれか一方に位置して設けられた
ことを特徴とする請求項３または４記載の可動パネルを備えた電子機器。
【請求項７】
支持機構は、可動パネルの移動軌跡のなかの所定位置で前記可動パネルを係脱可能に係止して位置及び姿勢を保持するとともに、他の位置では圧接により位置及び姿勢を保持する
ことを特徴とする請求項１ないし６いずれか一記載の可動パネルを備えた電子機器。
【請求項８】
パネル側機能部は、モニタ部を備えた
ことを特徴とする請求項１ないし７いずれか一記載の可動パネルを備えた電子機器。
【請求項９】
本体側機能部は、レンズ部を備えた
ことを特徴とする請求項１ないし８いずれか一記載の可動パネルを備えた電子機器。
【請求項１０】
本体側機能部は、第１の面部で出没する沈胴式のレンズユニットを備え、
このレンズユニットが前記第１の面部から突出した状態では、可動パネルが前記第１の面部に沿う位置への移動を規制するガード手段が設けられた
ことを特徴とする請求項１ないし９いずれか一記載の可動パネルを備えた電子機器。
【請求項１１】
本体側機能部は、第１の面部で出没する沈胴式のレンズユニットを備え、
可動パネルの位置に応じて前記レンズユニットの出没が自動的に制御される
ことを特徴とする請求項１ないし１０いずれか一記載の可動パネルを備えた電子機器。
【請求項１２】
可動パネル及びこの可動パネルを支持する支持機構が複数設けられた
ことを特徴とする請求項１ないし１１いずれか一記載の可動パネルを備えた電子機器。
【発明の詳細な説明】
【技術分野】
【０００１】
本発明は、例えば、可動式のモニタ部を備えたデジタルカメラなど、可動パネルを備えた電子機器に関する。
【背景技術】
【０００２】
従来、液晶パネルなどの電子ディスプレイを用いたモニタ部が設けられたデジタルカメラなどにおいて、モニタ部が可動式になっていて、操作者の使用状況に対応してモニタ部を移動できる構成が知られている。
【０００３】
例えば、液晶などの表示部を設けた電子ディスプレイユニットが電子カメラ本体の前面（撮影レンズ側）をスライドして移動する機構と、電子ディスプレイユニットが回転軸を中心に回転する機構が設けられていて、電子ディスプレイユニットの不使用時には、電子ディスプレイユニットが撮影レンズの保護部となると同時に、表示部の保護も行われるよう構成された電子カメラが知られている(例えば、特許文献１参照。)。そして、この構成では、電子ディスプレイユニットは１軸回動・スライド方式で、回動範囲は180°となっている。すなわち、この構成では、電子カメラ本体の前面（撮影レンズ側）にガイド部が設けられていて、電子ディスプレイユニットが電子カメラ本体の上下方向へ移動可能としている。また、電子ディスプレイユニットはこのガイド部に嵌合して移動する電子ディスプレイの回転軸を中心に回転可能で、収納時から180°回転可能となっている。また、電子ディスプレイユニットが電子カメラ本体の上方へのポップアップ及び収納動作に連動してＬＣＤ回路をＯＮ／ＯＦＦする機能が設けられている。しかしながら、ガイド部が電子カメラ本体の前面（撮影レンズ側）以外に設けられた構成、及び電子ディスプレイユニットが収納時から３６０°回転した状態については開示されていない。電子ディスプレイユニットがガイド部に嵌合して移動する時、電子カメラ本体に垂直に立った状態で倒れずにスライドする機構については開示されていない。
【０００４】
また、液晶表示パネルがカメラ一体型ビデオテープレコーダーの側面で回動反転する機構が設けられていて、液晶表示パネルの不使用時には、液晶画面がカメラ本体側を向いて収納されることにより保護されるよう構成されたカメラ一体型ビデオテープレコーダーが知られている(例えば、特許文献２参照。)。そして、この構成では、液晶表示パネルは直交する２軸回動方式で、開閉用回転範囲は９０°、回動用回転範囲は２７０°であり、２軸の合計は３６０°となっている。すなわち、カメラ本体の片側側面の中央部分に液晶表示パネルの回転・回動機構が設けられていて、開閉用の軸が９０°回転し、さらに、この軸に直交する回動用の軸が、時計方向に９０°、反時計方向に180°、合計２７０°で、２軸の合計は３６０°回転する。また、液晶画面が９０°回転した時、映像を左右反転する映像切換機能が設けられている。また、カメラ本体の上面には、上下に回動可能なビューファインダーが設けられている。しかしながら、平行する２軸がそれぞれ180°回転する機構については開示されていない。また、回動した液晶表示パネルがカメラ本体の３つの面に位置し、撮影レンズの保護と液晶表示パネルの保護を兼用する構造については開示されていない。
【特許文献１】特開２０００-２１７０２３号公報(第１頁、第３頁、図１、図７)
【特許文献２】特開平８−２９４０２９号公報(第３頁、図１−５)
【発明の開示】
【発明が解決しようとする課題】
【０００５】
上記従来の構成に対し、さらにモニタ部を自在に移動可能とし、また、撮影レンズの保護機能を向上して、利便性を向上することが求められている。
【０００６】
本発明は、このような点に鑑みなされたもので、利便性の高い可動パネルを備えた電子機器を提供することを目的とする。
【課題を解決するための手段】
【０００７】
請求項１記載の可動パネルを備えた電子機器は、本体側機能部を有する第１の面部、この第１の面部の反体側に向かう第２の面部、及びこれら第１の面部と第２の面部とを連接する第３の面部を備えた機器本体と、この機器本体と電気的に接続されたパネル側機能部を備えた可動パネルと、前記第２の面部に沿って前記第１の面部側と前記第３の面部側との間を所定方向に移動可能に支持されるとともに前記可動パネルを前記第２の面部と前記第１の面部及び前記第３の面部との交線に沿った方向を軸方向として回動可能に支持する支持機構とを具備したものである。
【０００８】
そして、この構成では、可動パネルが、機器本体の第１の面部を覆う位置から第２の面部を覆う位置まで約３６０度回動するため、可動パネルの配置の自由度が高いとともに、可動パネルが第１の面部あるいは第２の面部を覆う保護部として機能し、利便性が向上する。
【０００９】
請求項２記載の可動パネルを備えた電子機器は、請求項１記載の可動パネルを備えた電子機器において、支持機構は、可動パネルが第１の面部及び第２の面部と平行な状態でのみ、前記可動パネルの所定方向の移動を許容するものである。
【００１０】
そして、この構成では、可動パネルと機器本体との干渉が防止され、操作性が向上する。
【００１１】
請求項３記載の可動パネルを備えた電子機器は、本体側機能部を有する第１の面部、この第１の面部の反体側に向かう第２の面部、及びこれら第１の面部と第２の面部とを連接する第３の面部を備えた機器本体と、この機器本体と電気的に接続されたパネル側機能部を備えた可動パネルと、前記第２の面部と前記第１の面部及び前記第３の面部との交線に沿った方向を軸方向とし互いに平行な第１の軸及び第２の軸を備え、これら軸を回転軸として前記可動パネルを回動可能に支持する支持機構とを具備したものである。
【００１２】
そして、この構成では、可動パネルが、機器本体の第１の面部を覆う位置から第２の面部を覆う位置まで約３６０度回動するため、可動パネルの配置の自由度が高いとともに、可動パネルが第１の面部あるいは第２の面部を覆う保護部として機能し、利便性が向上する。
【００１３】
請求項４記載の可動パネルを備えた電子機器は、請求項３記載の可動パネルを備えた電子機器において、第１の軸及び第２の軸は、回動範囲が所定の角度範囲に規制され、可動パネルが第１の面部側から第２の面部側に回動する状態と、前記第２の面部側から前記第１の面部側に回動する状態とで移動軌跡が異なるものである。
【００１４】
そして、この構成では、可動パネルと機器本体との干渉が防止されるとともに、第１の軸の角度と及び第２の軸の角度の組み合わせにより機能を選択することが可能になり、操作性が向上する。
【００１５】
請求項５記載の可動パネルを備えた電子機器は、請求項３または４記載の可動パネルを備えた電子機器において、第１の軸は、第１の面部と第２の面部との中央部に位置して、第３の面部に支持されたものである。
【００１６】
そして、この構成では、可動パネルが、機器本体の第１の面部を覆う位置から第２の面部を覆う位置まで約３６０度回動する構成が容易に実現される。
【００１７】
請求項６記載の可動パネルを備えた電子機器は、請求項３または４記載の可動パネルを備えた電子機器において、第１の軸は、第１の面部と第３の面部との角部、及び、第２の面部と第３の面部との角部のいずれか一方に位置して設けられたものである。
【００１８】
そして、この構成では、可動パネルが、機器本体の第１の面部を覆う位置から第２の面部を覆う位置まで約３６０度回動する構成が容易に実現される。
【００１９】
請求項７記載の可動パネルを備えた電子機器は、請求項１ないし６いずれか一記載の可動パネルを備えた電子機器において、支持機構は、可動パネルの移動軌跡のなかの所定位置で前記可動パネルを係脱可能に係止して位置及び姿勢を保持するとともに、他の位置では圧接により位置及び姿勢を保持するものである。
【００２０】
そして、この構成では、可動パネルを所定位置で係止して位置及び姿勢を保持できるとともに、所望の位置及び姿勢に保持することも可能であり、利便性が向上する。
【００２１】
請求項８記載の可動パネルを備えた電子機器は、請求項１ないし７いずれか一記載の可動パネルを備えた電子機器において、パネル側機能部は、モニタ部を備えたものである。
【００２２】
そして、この構成では、モニタ部を所望の向きに配置できるとともに、モニタ部を機器本体の保護部として利用できる。
【００２３】
請求項９記載の可動パネルを備えた電子機器は、請求項１ないし８いずれか一記載の可動パネルを備えた電子機器において、本体側機能部は、レンズ部を備えたものである。
【００２４】
そして、この構成では、可動パネルがレンズ部を不使用時に覆う保護部として利用される。
【００２５】
請求項１０記載の可動パネルを備えた電子機器は、請求項１ないし９いずれか一記載の可動パネルを備えた電子機器において、本体側機能部は、第１の面部で出没する沈胴式のレンズユニットを備え、このレンズユニットが前記第１の面部から突出した状態では、可動パネルが前記第１の面部に沿う位置への移動を規制するガード手段が設けられたものである。
【００２６】
そして、この構成では、レンズユニットと可動パネルとの干渉が防止される。
【００２７】
請求項１１記載の可動パネルを備えた電子機器は、請求項１ないし１０いずれか一記載の可動パネルを備えた電子機器において、本体側機能部は、第１の面部で出没する沈胴式のレンズユニットを備え、可動パネルの位置に応じて前記レンズユニットの出没が自動的に制御されるものである。
【００２８】
そして、この構成では、レンズユニットと可動パネルとの干渉が防止される。
【００２９】
請求項１２記載の可動パネルを備えた電子機器は、請求項１ないし１１いずれか一記載の可動パネルを備えた電子機器において、可動パネル及びこの可動パネルを支持する支持機構が複数設けられたものである。
【００３０】
そして、この構成では、種々の機能を備えた複数の可動パネルを備えることにより、種々の機能を利便性良く利用できるとともに、これら可動パネルを互いに重ねて配置し、小さく収納することも可能になる。
【発明の効果】
【００３１】
本発明の可動パネルを備えた電子機器によれば、可動パネルが、機器本体の第１の面部を覆う位置から第２の面部を覆う位置まで約３６０度回動するため、可動パネルの配置の自由度が高いとともに、可動パネルが第１の面部あるいは第２の面部を覆う保護部として機能し、利便性を向上できる。
【発明を実施するための最良の形態】
【００３２】
以下、本発明の可動パネルを備えた電子機器の第１ないし第７の実施の形態を図面を参照して説明する。
【００３３】
なお、以下の各実施の形態においては、電子機器は、静止画あるいは動画を撮影する撮像装置であり電子カメラであるデジタルカメラ100，200，300，400，500，600，700とし、機器本体はカメラ本体101，201，301，401，501，601，701、可動パネルは、第１ないし第６の実施の形態については、可動式モニタであるモニタユニット102，202，302，402，502，602とし、第７の実施の形態については、第１のユニット702a、第２のユニット702b、第３のユニット702cとして説明する。そして、図面の簡略化のため、カメラ本体101〜701、モニタユニット102〜602及び第１ないし第３のユニット702a〜702cの内部構造については図面を省略し、モニタユニット102〜602及び第１ないし第３のユニット702a〜702cを支持する機構部品(回動機構部)である支持機構104，204，304，404，504，604の構成及び動作を中心に説明を行う。
【００３４】
また、カメラ本体101〜701は、略直方体状をなし、本体側機能部を構成する沈胴式の鏡筒であるレンズ部としてのレンズユニット105，205，305，405，505，605，705を備えた第１の面部としての前面（-Ｚ）、この前面（-Ｚ）の反対側に位置する第２の面部としての後面（Ｚ）、第３の面部としての上面（Ｙ）、下面（-Ｙ）、第３の面部としての他側の側面（-Ｘ）、一側の側面（Ｘ）を備えている。そして、レンズユニット105〜705の内部構造については省略するが、基本的には、カメラ本体101〜701には、レンズユニット105〜705を含みレンズ及び絞りなどを備えた光学系、撮像素子としてのＣＣＤ、このＣＣＤの出力を処理する画像処理回路、記憶手段としてのＲＡＭなどのメモリ、制御手段を構成するＣＰＵ、メモリカードなどの画像記録媒体、操作手段、電源装置、入出力端子などを備えている。また、モニタユニット102〜602及び第１ないし第３のユニット702a〜702cは、略平板状をなし、一面としての表面(Ｆ)に、液晶パネルなどを用いたパネル側機能部を構成する平面状のモニタ部としての電子ディスプレイ107，207，307，407，507，607，707などを備えている。また、モニタユニット102〜602及び第１ないし第３のユニット702a〜702cには、表面(Ｆ)の反対側に位置する裏面（Ｒ）、天面（Ｔ）、底面（Ｂ）、一側の端面（ＬＳ）、他側の端面（ＲＳ）を備えている。
【００３５】
また、図示しない操作手段を構成するスイッチ類として、メイン電源スイッチ、モニタオープンスイッチ、手動映像切替スイッチ、撮影スイッチ及び再生スイッチなどが設けられている。
【００３６】
また、以下の説明においては、モニタユニット102〜602及び第１ないし第３のユニット702a〜702cが収納位置にある時を０°として、各部材(モニタユニット)の回動位置(回転角度)を表している。
【００３７】
また、図１などに矢印で示すように、カメラ本体101，201，301，401，501，601，701の前面（-Ｚ）の方向を（-Ｚ）方向とし、同様に、後面（Ｚ）の方向を（Ｚ）方向、上面（Ｙ）の方向を（Ｙ）方向、下面（-Ｙ）の方向を（-Ｙ）方向、側面（Ｘ）、（-Ｘ）の方向をそれぞれ（Ｘ）、（-Ｘ）として説明する。
【００３８】
以下、第１ないし第７の実施の形態を概説すると、第１の実施の形態と第２の実施の形態は、モニタユニット102，202が、１軸の回転作動とスライド移動により回動する方法に関するものである。そして、第１の実施の形態は、支持機構104がカメラ本体101の上面（Ｙ）に設けられている場合であり、第２の実施の形態は支持機構204がカメラ本体201の側面（Ｘ）に設けられている場合である。なお、一側の側面（Ｘ）と対称な他側の側面（-Ｘ）に支持機構を設けることも可能であるが、説明は省略する。
【００３９】
また、第３の実施の形態〜第６の実施の形態は、モニタユニット303から603が、平行に設けられた２軸の回転作動により回動する方法に関するものである。そして、第３の実施の形態は、支持機構304の第１の軸Ｏ１がカメラ本体301の上面（Ｙ）のＺ軸方向の中央部に設けられている場合であり、第４の実施の形態は、支持機構404の第１の軸Ｏ１がカメラ本体401の側面（Ｘ）のＺ軸方向の中央部に設けられている場合である。なお、一側の側面（Ｘ）と対称な他側の側面（-Ｘ）に支持機構の第１の軸Ｏ１を設けることも可能であるが、説明は省略する。また、第５の実施の形態は支持機構504の第１の軸Ｏ１がカメラ本体501の上面（Ｙ）の-Ｚ方向の端部に設けられている場合である。なお、第１の軸Ｏ１を-Ｚ方向の端部と対称のＺ方向の端部に設けることも可能であるが、説明は省略する。さらに、第６の実施の形態は、支持機構604の第１の軸Ｏ１がカメラ本体601の側面（Ｘ）の-Ｚ方向の端部に設けられている場合である。なお、第１の軸Ｏ１を-Ｚ方向の端部と対称のＺ方向の端部に設けることも可能であるが、説明は省略する。さらに、同様に、第１の軸Ｏ１を、第６の実施の形態と対称の側面（-Ｘ）の-Ｚ方向の端部と、これと対称のＺ方向の端部に設けることも可能であるが、説明は省略する。
【００４０】
そして、第７の実施の形態は、第１の実施の形態ないし第６の実施の形態のいずれかと同様の支持機構704を有する複数のユニット702a〜702cがカメラ本体701の複数の面に設けられた場合のものである。
【００４１】
次に、第１の実施の形態について、図１ないし図１３及び表１を参照して説明する。
【００４２】
この第１の実施の形態は、モニタユニット102が、１軸の回転作動とスライド移動により回動する方法に関するものであり、支持機構104がカメラ本体101の上面（Ｙ）に設けられている場合である。
【００４３】
そして、図１の(a)から(f)は、モニタユニット102が360°オープン状態からクローズ状態までの往復可能な回動位置とレンズユニット105の突出・収納関係を示す回動動作の説明図である。そして、図２は、標準撮影位置(モニタユニット360°オープン状態)  軸の回転位置  ３６０°であり、図３は、ローアングル撮影位置(モニタユニット270°オープン状態)  軸の回転位置  ２７０°であり、図４は、自分撮り撮影位置(モニタユニット180°オープン状態)  軸の回転位置  180°  (スライド往復移動可能、Ｚ方向端部)であり、図５は、映像再生表示位置(モニタユニット180°オープン状態)  軸の回転位置  180°  (スライド往復移動可能、-Ｚ方向端部)であり、図６は映像再生表示位置(モニタユニット90°オープン状態)  軸の回転位置  ９０°であり、図７はモニタユニット収納位置(モニタユニット0°クローズ状態)  軸の回転位置  ０°である。また、図２ないし図７において、(a)は斜視図、(b)は支持機構の斜視図である。
【００４４】
さらに、カメラ100における構成図、ユニット構成図及び部品展開図として、図８は、図４に示す自分撮り撮影位置(モニタユニット180°オープン状態)、軸の回転位置180°(スライド往復移動可能、Ｚ方向端部)における構成図である。図９は図２に示す標準撮影位置(モニタユニット360°オープン状態)、軸の回転位置３６０°における構成図である。図１０は、図２に示す標準撮影位置(モニタユニット360°オープン状態)、軸の回転位置３６０°におけるユニット構成図である。図１１は、図２に示す標準撮影位置(モニタユニット360°オープン状態)、軸の回転位置３６０°における部品展開図である。図１２は、図５に示す位置と図６に示す位置との間、すなわち回転位置９０°〜180°(スライド位置-Ｚ方向端部)時のスライド移動規制位置における部品展開図である。図１３は、図３に示す位置と図４に示す位置との間、すなわち回転位置180°〜２７０°(スライド位置Ｚ方向端部)時のスライド移動規制位置における部品展開図である。また、図１２及び図１３において、(a)は斜視図、(b)は一部の断面図である。
【００４５】
また、以下の表１は、モニタ反転スイッチのＯＮ-ＯＦＦ及びレンズスイッチのＯＮ-ＯＦＦ状態と電子ディスプレイ107の表示位置の関係を示す表である。
【００４６】
【表１】
2005192093.tif 000003
【００４７】
次に、第１の実施の形態の構成を説明する。
【００４８】
図８ないし図１１に示すように、カメラ100は、カメラ本体101と、モニタユニット102と、支持機構としてのスライドユニット104を備えている。そして、カメラ本体101は、図示しない内部構造部材の前面（-Ｚ）側に収納式レンズユニット105を取り付け、内部構造部材の上面（Ｚ）の上側に、モニタ反転スイッチ111及びレンズスイッチ112が取り付けられている。また、モニタユニット102が取り付けられたスライドユニット104の構成部材である第１ヒンジプレート121がカメラ本体101の上面（Ｙ）側に取り付け固定されている。そして、前後のカバー125，126が、図示しない内部構造部材、スライドユニット104、モニタユニット102を挟持して取り付けられている。また、前後のカバー125，126を組み合わせた状態で、カメラ本体101には、カメラ本体101の上側に位置し、両側方向(Ｘ，-Ｘ)に開口し前後方向に延びる一対の内側カバー溝部127と、この内側カバー溝部127に対向し両側方向(Ｘ，-Ｘ)に開口し前後方向に延びる一対の外側カバー溝部128とが形成されている。これら溝部127，128は、上下方向に所定の寸法を有するとともに、前後の端部で高さ寸法が大きく形成されている。
【００４９】
また、収納式のレンズユニット105は、非撮影状態の時にカメラ本体101の内部に収納される、いわゆる沈胴式機構を有するレンズ鏡筒であり、カメラ本体101の図示しない内部構造部材の後面（Ｚ）の上側に取り付けられたレンズスイッチ112がＯＮした時、前側のカバー125の前面（-Ｚ）の孔部から突出し撮影状態となり、ＯＦＦした時レンズユニット105は収納され非撮影状態となる。
【００５０】
また、モニタユニット102は、電子ディスプレイ107及び図示しない内部構造部材が一対のモニタカバー131，132に取り付けられて構成されている。そして、表面(Ｆ)側のモニタカバー131には、開口が形成され、電子ディスプレイ107が露出している。さらに、モニタユニット102には、両側一対の脚部134が突設され、これら脚部134から、両側方向の外側に向かい、断面略Ｄ字状の筒状のモニタカバー係止軸135が突設されている。そして、これらモニタカバー係止軸135は、外側カバー溝部128に挿入されているとともに、このモニタカバー係止軸135に、カム軸140が接続されている。そして、このカム軸140に設けたカム軸凸部141がモニタユニット102の位置に応じてモニタ反転スイッチ111を押動する。一方、各脚部134には、両側方向のモニタカバー係止軸135の反対側に位置し、円形でない異形の孔であるＤカット部143が形成されている。
【００５１】
また、スライドユニット104は、スライドベースユニット145と、このスライドベースユニット145に前後方向にスライド自在に支持された移動プレートユニット146とを備えている。そして、スライドベースユニット145は、第１ヒンジプレート121を備えている。この第１ヒンジプレート121は、金属板を折曲などして形成され、内部構造部材の上面（Ｚ）の上側に水平に固定される基部151と、この基部151の前後方向の中央部近傍から下方に折曲された前後４対の第１の折曲部152と、この基部151の前後の端部から上側に折曲された第２の折曲部154とを備えている。そして、これら第２の折曲部154間には、前後方向を長手方向として一対のガイド軸156が取り付けられている。また、第１の折曲部152には、それぞれ両側方向を長手方向とするロック解除ベース軸161が軸支され、これらロック解除ベース軸161に回動可能に軸支され、前側に延びる前側ロック解除ベース162と、後側に延びる後側ロック解除ベース163とを備えている。そして、これらロック解除ベース162，163の先端部の両側方向の中央部には、上側に向かい凸部162a，163aが突設されているとともに、両側の端部には、上側に傾斜して突出する受け凸部が162b，163bが突設されている。さらに、これらロック解除ベース162，163は、それぞれねじりコイルばね165，166により、先端部すなわち凸部162a，163aが上側に向かう方向に付勢されている。
【００５２】
一方、移動プレートユニット146は、ガイド軸156に摺動可能に嵌合して前後方向にスライド可能に支持された扁平な角筒状の移動プレート170と、この移動プレート170に両側方向を軸方向として３６０°回転可能に支持されるとともにモニタユニット102に固定される略コの字状の第２ヒンジプレート172とを備えている。そして、この第２ヒンジプレート172を移動プレート170に軸支する軸構造は、両側にそれぞれ、筒状をなすかしめ軸174と、このかしめ軸174に嵌合する筒状のクリックばね175、クリック板176、クリック軸177、及びロック解除軸178とにより構成されている。
【００５３】
そして、かしめ軸174は、移動プレート170の端面にかしめられ、移動プレート170とともに回転する。また、ロック解除軸178は、周面に凸部178aが突設されているとともに、平面状の係止部178bが形成された断面Ｄ字状をなし、クリック軸177とともに第２ヒンジプレート172ともに回転する。そして、互いに摺接するかしめ軸174と第２ヒンジプレート172の端面との間に配置されたクリックばね175及びクリック板176により、所定の摺動抵抗が発生し、任意の位置で保持されるとともに、クリック軸177の４カ所に形成した溝状の凹部177aがクリック板176の凸部とクリック係合すなわち係脱可能に係合し、９０°ごとの所定の位置で保持されるようになっている。すなわち、表裏のモニタカバー131，132は、移動プレートユニット146のロック解除軸178のＤカット部である係止部178bを挟持した状態で第２ヒンジプレート172に取り付けられ、モニタユニット102が回動自在に係止されている。
【００５４】
そして、移動プレートユニット146のＤカット部である係止部178bが、前後のカバー125，126に設けられた溝部127と嵌合し、さらに、モニタカバー係止軸135のＤカット部も、前後のカバー125，126に設けられた溝部128と嵌合した状態でスライド可能に設けられているため、モニタユニット102はＺ軸に対してＹ方向に垂直に保持され、前記軸の回転により倒れないように規制されながらスライド移動する。
【００５５】
さらに、カメラ本体101側には、進退駆動されて、モニタユニット102の０°位置への回動を阻止するレンズガード部180が設けられている。
【００５６】
また、182，183は、それぞれ脚部134の両側の軸孔及びこの軸孔に嵌合された軸部材の内側を通り、カメラ本体101のメイン基板とモニタユニット102の電子ディスプレイ107とを電気的に接続するリードワイヤである。
【００５７】
また、カメラ本体101あるいはモニタユニット102には、図示しないメイン電源スイッチ、モニタオープンスイッチ、手動映像切替スイッチ、撮影スイッチ及び再生スイッチが設けられている。
【００５８】
すなわち、この第１の実施の形態では、カメラ100は、カメラ本体101、収納式のレンズユニット105、モニタユニット102、スライドユニット104で構成されている。
【００５９】
そして、図１ないし図７には、モニタユニット102が、１軸の回転機構と、さらに、その回転軸がスライド移動機構によりスライド移動し、カメラ本体101の後面（Ｚ）から上面（Ｙ）を通過して前面（-Ｚ）に回動する動作を示す。
【００６０】
また、モニタユニット102は、図７（モニタユニット102がクローズ状態）から図２（モニタユニット102が360°オープン状態）まで、または図２（モニタユニット102がオープン状態）から図７（モニタユニット102がクローズ状態）まで回動する途中でも、任意の位置において両方向への回動が可能に設けられている。但し、回転軸がＺ方向端部及び-Ｚ方向端部において、回転範囲はそれぞれ180°以内に規制されている。Ｚ方向端部から-Ｚ方向端部の間は回転軸が回転しないように規制されながらスライド移動する。
【００６１】
また、これらは各回動位置におけるモニタユニット102のクリック係止状態と、収納式のレンズユニット105のレンズ鏡筒が突出した撮影状態と収納された非撮影状態を示している。
【００６２】
さらに、各回転軸部に設けられた回転制動部材により、モニタユニット102は、クリック係止位置以外の図示しない任意の回転範囲内位置で圧接フリクション保持可能に設けられている。
【００６３】
なお、第１の実施の形態では、回転軸のフリクショントルクをＦ1、モニタユニット102の重量をＷ1ｍとした時の力量関係を、
（式１）Ｆ1＞Ｗ1ｍ
（式２）Ｆ1≒２×Ｗ1ｍ
となるよう設定することにより、モニタユニット102が所定の位置でクリック係止され、かつクリック係止位置以外の図示しない任意の回転範囲内位置で圧接フリクション保持される。
【００６４】
また、表裏のモニタカバー131，132のＤカットされた軸部であるモニタカバー係止軸135には、カム軸140が嵌合して固定されていて、モニタユニット102の回動に連動してカム軸凸部141がモニタ反転スイッチ111をＯＮ/ＯＦＦすることにより、表１に示すように、映像の正位置表示と上下・左右反転位置表示を自動的に切替える。
【００６５】
さらに、表裏のモニタカバー131，132のＤカットされた軸部であるモニタカバー係止軸135は、前後のカバー125，126に設けられた溝部128と嵌合した状態でスライド可能に設けられているため、モニタユニット102はＺ軸に対してＹ方向に垂直に保持され、前記軸の回転により倒れないように規制されながらスライド移動する。
【００６６】
なお、映像の表示位置は図２において、電子ディスプレイ107に表示された（Ｙ、-Ｙ）方向を（上下）方向、（Ｘ、-Ｘ）方向を（左右）方向とする映像を正位置表示とする。
【００６７】
スライドユニット104は、スライドベースユニット145の第１ヒンジプレート121に互いに平行に設けられた２個のガイド軸156に、往復移動可能な移動プレートユニット146が嵌合係止されている。
【００６８】
そして、スライドユニット104は、構成部材である第１ヒンジプレート121がカメラ本体121の図示しない内部構造部材の上面（Ｙ）側に取り付けられ固定されている。
【００６９】
移動プレートユニット146は、一対のカシメ軸174に、それぞれクリックばね175、クリック板176、クリック軸177、第２ヒンジプレート172、ロック解除軸178を挿入し、移動プレート170の両端にかしめ固定する。クリックばね175、クリック板176の軸が挿入される孔形状は小判型をしていて、カシメ軸174の対応する箇所もＤカット形状をしているため、これらクリックばね175及びクリック板176は、各カシメ軸174に対して位置決めされている。同様に、両側のクリック軸177の直径方向の外形形状は小判型をしていて、それぞれ第２ヒンジプレート172に対して位置決めされている。また、両側のロック解除軸178の直径方向の外形形状はＤカット形状をしていて、それぞれクリック軸177に対して位置決めされている。
【００７０】
そこで、モニタユニット102がカシメ軸174の軸中心で回転する時、クリック軸177、ロック解除軸178、第２ヒンジプレート172はモニタユニット102と係合して、クリックばね175により圧接されながら回転を行う。そして、各クリック軸177には、複数の溝状の凹部177aが設けられているため、モニタユニット102の回転によりクリック板176が溝に落ち込み複数の所定位置でクリック係止される。さらに、クリックばね175は、モニタユニット102の回転途中において、常時付勢状態となるように設けられていて、任意の位置における回転制動力を発生させることにより、モニタユニット102を任意の位置で圧接フリクション保持可能としている。
【００７１】
この時、回転軸のフリクショントルクをＦ1、モニタユニット102の重量をＷ1ｍとすると、
（式１）Ｆ1＞Ｗ1ｍ
（式２）Ｆ1≒２×Ｗ1ｍ
となるよう力量関係を設定することにより、モニタユニット102が所定の位置でクリック係止され、かつクリック係止位置以外の図示しない任意の回転範囲内位置で圧接フリクション保持される。
【００７２】
同様に、図示しないメイン基板からモニタユニット102への配線用のリードワイヤ182，183は、カシメ軸174及びカム軸140が取り付けられた表裏のモニタカバー131，132のＤカットされた軸部であるモニタカバー係止軸135の中空部を通ってモニタユニット内の電子ディスプレイ107等へ配線されている。
【００７３】
また、モニタ反転スイッチ111は、モニタユニット102がカメラ本体の上面（Ｙ）のＺ方向端部に回動して図２の状態の時、両面のモニタカバー131，132のＤカットされている軸部のモニタカバー係止軸135に嵌合し固定されたカム軸140のカム軸凸部141が、カメラ本体101内部の後面（Ｚ）の上側に取り付けられているモニタ反転スイッチ111と当接し押圧するため、スイッチはＯＦＦとなり映像を正位置表示する。一方、モニタユニット102が回動して図３から図６の状態の時、カム軸凸部141がモニタ反転スイッチ111と非当接となるため、スイッチはＯＦＦとなり映像を上下・左右反転位置表示する。
【００７４】
なお、カム軸140のカム軸凸部141の形状を変えることにより、図２から図４の間でスイッチのＯＮ/ＯＦＦを任意に設定可能である。
【００７５】
また、両側のロック解除軸178の係止部178bはＤカットされていて、前後のカバー125，126に設けられた内側カバー溝部127と嵌合し、さらに、両側のモニタカバー係止軸135もＤカットされていて、前後のカバー125，126に設けられた外側カバー溝部128と嵌合した状態でスライド可能に設けられているため、モニタユニット102はＺ軸に対してＹ方向に垂直に保持され、前記軸の回転により倒れないように規制されながらスライド移動する。
【００７６】
この時、モニタユニット102は回転位置180°でクリック係止された状態であり、さらに、図５〜図４の範囲のスライド移動は前記嵌合状態で行われるため、適当なフリクションで保持されている。
【００７７】
なお、モニタユニット102が図４位置から図７の収納位置まで短時間で回動された時、レンズユニット105がカメラ本体101内に完全に収納状態とならない場合には、電子ディスプレイ107とレンズユニット105の鏡筒部とが当接することにより損傷等の不具合が発生するおそれがある。そこで、モニタユニット102が図６の位置において、移動プレートユニット146が９０°から０°方向（図６から図７）へ回転しないように、レンズユニット105の突出・収納状態とリンクして規制するガード機構として、レンズガード板180が設けられている。
【００７８】
スライドベースユニット145は、前側ロック解除ベース162が第１ヒンジプレート121の-Ｙ方向への折り曲げられた第１の折曲部152に、Ｘ,-Ｘ方向に平行する２個のロック解除ベース軸161により、図示しないＥリング等で回動可能に係止されている。同様に、対向する後側ロック解除ベース163が、第１ヒンジプレート121の-Ｙ方向へ折り曲げられた第１の折曲部152に、Ｘ,-Ｘ方向に平行する２個のロック解除ベース軸161により、図示しないＥリング等で回動可能に係止されている。
【００７９】
そして、前側ロック解除ベース162のロック解除ベース軸161にはねじりコイルばね165がセットされ、前側ロック解除ベース162が反時計方向に付勢されている。一方、後側ロック解除ベース163のロック解除ベース軸161にはねじりコイルばね166がセットされ、後側ロック解除ベース163が時計方向に付勢されている。
【００８０】
また、移動プレートユニット146がカメラ本体の上面（Ｙ）の-Ｚ方向端部及びＺ方向端部にある時、両側のロック解除軸178の凸部178aが前側ロック解除ベース162及び後側ロック解除ベース163と非当接状態となり、図１２及び図１３に示すように、凸部162a，163aは移動プレート170の板間170aに挿入される。
【００８１】
そこで、モニタユニット102が図６から図５への反時計方向の回動中、及び図５から図６への時計方向の回動中にスライド移動しないように、前側ロック解除ベース162の凸部162aは移動プレートの板間170aに挿入され、移動プレートユニット146のZ方向への移動を規制する(図１２参照)。
【００８２】
同様に、モニタユニット102が図３から図４への時計方向の回動中、及び図４から図３への反時計方向の回動中にスライド移動しないように、後側ロック解除ベース163の凸部163aは移動プレートの板間170aに挿入され、移動プレートユニット146の-Ｚ方向への移動を規制する(図１３参照)。
【００８３】
一方、モニタユニット102は、図４から図５（図５から図４）において、両側のロック解除軸178の凸部178aが前側ロック解除ベース162あるいは後側ロック解除ベース163と当接し、いずれかの凸部162a，163aを‐Ｙ方向へ押し下げることにより、移動プレート170との係合状態が解除され、Ｚ、-Ｚの両方向にスライド移動可能となる。
【００８４】
また、レンズスイッチ112は、カメラ本体101内部の後面（Ｚ）の上側に取り付けられていて、モニタユニット102が回動することにより、移動プレート170の後面（Z）が当接した時スイッチをＯＮし、レンズユニット105は突出され撮影状態（図２から図４）となる。
【００８５】
また、移動プレートの面1431（Z）が非当接時にはスイッチがＯＦＦし、レンズユニット105は収納され非撮影状態（図５から図７）となる。
【００８６】
次に、モニタユニット102が図２ないし図７に示す各位置に位置する状態について説明する。
【００８７】
図７は、モニタユニット102が後面（Ｚ）に当接した状態である。このときモニタユニット102の表面（Ｆ）の電子ディスプレイ107と収納されたレンズユニット105は向かい合っているため、モニタユニット102の裏面（Ｒ）により保護されている。この時、レンズスイッチ112は、移動プレートユニット146がカメラ本体の上面（Ｙ）の-Ｚ方向端部にあるため、非当接状態となりスイッチはＯＦＦされ、レンズユニット105は収納されている。同様に、モニタ反転スイッチ111は、移動プレートユニット146がカメラ本体の上面（Ｙ）の-Ｚ方向端部にあり非当接状態で、スイッチはＯＮ状態となっているが、図示しないモニタオープンスイッチがＯＦＦ状態となっているため、電子ディスプレイ107の映像は表示されない（表１参照）。
【００８８】
図６は、図７に対して、両側のカシメ軸174を軸中心として反時計方向に90°回転された位置となっている。この時、レンズスイッチ112は移動プレートユニット146がカメラ本体の上面（Ｙ）の-Ｚ方向端部にあるため、非当接状態となりスイッチはＯＦＦされ、レンズユニット105は収納されている。また、図示しないモニタオープンスイッチはＯＮ状態となり、電子ディスプレイ107は表示状態となっている。モニタ反転スイッチ111は、移動プレートユニット146がカメラ本体の上面（Ｙ）の-Ｚ方向端部にあり非当接状態で、スイッチはＯＮ状態となっているため、電子ディスプレイ107は図２の映像の正位置表示に対して上下・左右反転表示位置で再生表示されている（表１参照）。
【００８９】
図５では、モニタユニット102は、図６からさらに、両側のカシメ軸174を軸中心として反時計方向に90°回転された位置となっている。また、ロック解除軸178の係止部178bはＤカットされていて、前後のカバー125，126に設けられた内側カバー溝部127と嵌合し、さらに、モニタカバー係止軸135もＤカットされていて、前後のカバー125，126に設けられた外側カバー溝部128と嵌合した状態でスライド可能に設けられているため、モニタユニット102はＺ軸に対してＹ方向に垂直に保持され、図４への移動中においては、前記軸の回転により倒れないように規制されながらスライド移動する。
【００９０】
この時、レンズスイッチ112は移動プレートユニット146がカメラ本体101の上面（Ｙ）の-Ｚ方向端部にあるため、非当接状態となりスイッチはＯＦＦされ、レンズユニット105は収納されている。また、図示しないモニタオープンスイッチはＯＮ状態で、電子ディスプレイ107は表示状態となっている。モニタ反転スイッチ111は、移動プレートユニット146がカメラ本体の上面（Ｙ）の-Ｚ方向端部にあり非当接状態で、スイッチはＯＮ状態となっているため、電子ディスプレイ107は図２の映像の正位置表示に対して上下・左右反転表示位置で再生表示されている（表１参照）。
【００９１】
図４では、モニタユニット102が回転自在に係止された移動プレートユニット146が、図５からスライド移動してカメラ本体101の上面（Ｙ）の反対側のＺ方向端部にある。一方、回転軸部を軸中心に両側のクリック軸177は図２から時計方向に180°回転された図５と同一位置となっている。この時、レンズスイッチ112は移動プレートユニット146がカメラ本体の上面（Ｙ）のＺ方向端部にあるため、当接状態となりスイッチはＯＮされ、レンズユニット105は突出し撮影状態となっている。
【００９２】
図示しないモニタオープンスイッチはＯＮ状態で、電子ディスプレイ107は表示状態となっている。移動プレートユニット146がカメラ本体の上面（Ｙ）のＺ方向端部にあり、モニタ反転スイッチ111はカム軸のカム軸凸部141と非当接状態で、スイッチはＯＮ状態となっているため、電子ディスプレイ107は図２の映像の正位置表示に対して上下・左右反転表示位置で表示されている（表１参照）。
【００９３】
図３では、図４位置よりモニタユニット102はさらに、反時計方向に90°回転（図２から時計方向に90°）回転された位置となっている。この時、レンズスイッチ112は移動プレートユニット146がカメラ本体の上面（Ｙ）のＺ方向端部にあるため、当接状態となりスイッチはＯＮされ、レンズユニット105は突出し撮影状態となっている。図示しないモニタオープンスイッチはＯＮ状態で、電子ディスプレイ107は表示状態となっている。移動プレートユニット146がカメラ本体101の上面（Ｙ）のＺ方向端部にあり、モニタ反転スイッチ111はカム軸のカム軸凸部141と非当接状態で、スイッチはＯＮ状態となっているため、電子ディスプレイ107は図２の映像の正位置表示に対して上下・左右反転表示位置で表示されている（表１参照）。
【００９４】
図２では、図３位置からさらに、反時計方向に90°回転された位置となっている。すなわち、図７位置に対しては両側のカシメ軸174を軸中心に反時計方向に360°回転した位置である。この時、レンズスイッチ112は移動プレートユニット146がカメラ本体101の上面（Ｙ）のＺ方向端部にあるため、当接状態となりスイッチはＯＮされ、レンズユニット105は突出し撮影状態となっている。図示しないモニタオープンスイッチはＯＮ状態で、電子ディスプレイ107は表示状態となっている。移動プレートユニット146がカメラ本体の上面（Ｙ）のＺ方向端部にあり、モニタユニット102の回転によりモニタユニット102の一方のモニタカバー係止軸135に取り付けられたカム軸140のカム軸凸部141がモニタ反転スイッチ111と当接し押圧するため、スイッチはＯＦＦ状態となり、電子ディスプレイ107の映像は正位置表示される（表１参照）。
【００９５】
次に、第１の実施の形態の図１すなわち図７〜図２において、クローズ状態のモニタユニット102がカメラ本体の後面（Ｚ）から上面（Ｙ）を通過して、360°オープン状態のモニタユニット102が後面（Ｚ）に回動する動作について説明する。なお、以下の説明においては、モニタユニット102が収納位置にある時を０°として、各部材の回転・回動角度を表している。
【００９６】
また、モニタユニット102は、図７（モニタユニット102がクローズ状態）から図２（モニタユニット102が360°オープン状態）まで、または図２（モニタユニット102が360°オープン状態）から図７（モニタユニット102がクローズ状態）まで回動する途中でも、任意の位置において両方向への回動が可能に設けられている。
【００９７】
なお、図示しないメイン電源スイッチは全ての位置においてＯＮ状態になっていている。図示しない手動映像切替スイッチは自動切替えが選択されていて、モニタ反転スイッチ111のＯＮ/ＯＦＦに連動して映像の表示位置が切替られる状態となっている（表１参照）。
【００９８】
図７の状態は、モニタユニット102収納位置（モニタユニット０°クローズ状態）で、モニタユニット102はカメラ本体101の後面（Ｚ）に当接した状態であり、モニタユニット102が回転自在に係止された移動プレートユニット146がカメラ本体の上面（Ｙ）の-Ｚ方向端部にあり、回転軸部を軸中心に両側のクリック軸177は0°（図２から時計方向に360°）回転された位置となっている。この時、レンズスイッチ112は、移動プレートユニット146がカメラ本体の上面（Ｙ）の-Ｚ方向端部にあるため、非当接状態となりスイッチはＯＦＦされ、レンズユニット105は収納されている。同様に、モニタ反転スイッチ111は、移動プレートユニット146がカメラ本体の上面（Ｙ）の-Ｚ方向端部にあり非当接状態で、スイッチはＯＮ状態となっているが、図示しないモニタオープンスイッチがＯＦＦ状態となっているため、電子ディスプレイ107の映像は表示されない（表１参照）。
【００９９】
この時、回転制動部材であるクリック板176に形成した凸部であるクリック部が両側のクリック軸177の凹部177aの溝に落ち込み圧接状態でクリック係止されている。
【０１００】
そして、このクリック係止のフリクショントルクをＦ1、モニタユニット102の重量をＷ1ｍとすると、
（式１）Ｆ1＞Ｗ1ｍ
（式２）Ｆ1≒２×Ｗ1ｍ
となるよう力量関係を設定することにより、モニタユニット102が回転位置0°でクリック係止され、圧接フリクション保持されている。
【０１０１】
そして、モニタユニット102はカメラ本体101の後面（Ｚ）に当接し、モニタユニット102の表面（Ｆ）の電子ディスプレイ107と収納されたレンズユニット105は向かい合っていて、モニタユニット102の裏面（Ｒ）により保護されている。
【０１０２】
図６の状態は、映像再生表示位置（モニタユニット９０°オープン状態）で、図７と同様に、モニタユニット102が回転自在に係止された移動プレートユニット146がカメラ本体の上面（Ｙ）の-Ｚ方向端部にあり、回転軸部を軸中心に両側のクリック軸177は図７から反時計方向に90°（図２から時計方向に270°）回転された位置となっている。この時、レンズスイッチ112は移動プレートユニット146がカメラ本体の上面（Ｙ）の-Ｚ方向端部にあるため、非当接状態となりスイッチはＯＦＦされ、レンズユニット105は収納されている。そして、図示しないモニタオープンスイッチはＯＮ状態となり、電子ディスプレイ107は表示状態となっている。モニタ反転スイッチ111は、移動プレートユニット146がカメラ本体の上面（Ｙ）の-Ｚ方向端部にあり非当接状態で、スイッチはＯＮ状態となっているため、電子ディスプレイ107は図２の映像の正位置表示に対して上下・左右反転表示位置で再生表示されている（表１参照）。
【０１０３】
また、図７から時計方向に180°回転されてモニタユニットが完全に180°オープン状態になるまでは、下記の機構により移動プレートユニット146のZ方向への移動が規制されている。すなわち、スライドベースユニット145に設けられた前側ロック解除ベース162のロック解除ベース軸161にはねじりコイルばね165がセットされ、前側ロック解除ベース162が反時計方向に付勢されている。一方、後側ロック解除ベース163のロック解除ベース軸161にはねじりコイルばね166がセットされ、後側ロック解除ベース163が時計方向に付勢されている。そこで、モニタユニット102が図６から図５への反時計方向の回動中、及び図５から図６への時計方向の回動中は、両側のロック解除軸178の凸部178aが前側ロック解除ベース162と非当接であるため、前側ロック解除ベース162の凸部162aは移動プレートの板間170aに挿入されモニタユニット102がスライド移動しないように、移動プレートユニット146のZ方向への移動を規制する（図１２参照）。
【０１０４】
この時、回転制動部材である両側のクリック板176のクリック部が両側のクリック軸177の凹部177aの溝に落ち込み圧接状態でクリック係止されている。
【０１０５】
そして、このフリクショントルクをＦ1、モニタユニット102の重量をＷ1ｍとすると、
（式１）Ｆ1＞Ｗ1ｍ
（式２）Ｆ1≒２×Ｗ1ｍ
となるよう力量関係を設定することにより、モニタユニット102が回転位置90°でクリック係止され、かつクリック係止位置以外の図示しない0°から90°までの回転位置で圧接フリクション保持される。
【０１０６】
なお、モニタユニット102が図４位置から図７の収納位置まで短時間で回動された時、レンズユニット105がカメラ本体101内に完全に収納状態とならない場合には、電子ディスプレイ107とレンズユニット105の鏡筒部とが当接することにより損傷等の不具合が発生するおそれがある。
【０１０７】
そこで、モニタユニット102が、図６位置において、移動プレートユニット146が９０°から０°方向（図６から図７）へ回転しないように、レンズユニット105の突出・収納状態とリンクして規制するガード機構として、レンズガード板180が設けられている。
【０１０８】
図５の状態は映像再生表示位置（モニタユニット180°オープン状態）で、図７と同様に、モニタユニット102が回転自在に係止された移動プレートユニット146がカメラ本体の上面（Ｙ）の-Ｚ方向端部にあり、回転軸部を軸中心に両側のクリック軸177は図６から反時計方向に90°（図７から反時計方向に180°、図２から時計方向に180°）回転された位置となっている。この時、レンズスイッチ112は移動プレートユニット146がカメラ本体の上面（Ｙ）の-Ｚ方向端部にあるため、非当接状態となりスイッチはＯＦＦされ、レンズユニット105は収納されている。また、図示しないモニタオープンスイッチはＯＮ状態で、電子ディスプレイ107は表示状態となっている。モニタ反転スイッチ111は、移動プレートユニット146がカメラ本体の上面（Ｙ）の-Ｚ方向端部にあり非当接状態で、スイッチはＯＮ状態となっているため、電子ディスプレイ107は図２の映像の正位置表示に対して上下・左右反転表示位置で再生表示されている（表１参照）。
【０１０９】
また、図６から時計方向に90°回転されてモニタユニットが完全に180°オープン状態になるまでは、下記の機構により移動プレートユニット146のZ方向への移動が規制されている。すなわち、スライドベースユニット145に設けられた前側ロック解除ベース162のロック解除ベース軸161にはねじりコイルばね165がセットされ、前側ロック解除ベース162が反時計方向に付勢されている。一方、後側ロック解除ベース163のロック解除ベース軸161にはねじりコイルばね166がセットされ、後側ロック解除ベース163が時計方向に付勢されている。そこで、モニタユニット102が図６から図５への反時計方向の回動中、及び図５から図６への時計方向の回動中は、両側のロック解除軸178の凸部178aが前側ロック解除ベース162と非当接であるため、前側ロック解除ベース162の凸部162aは移動プレートの板間170aに挿入されモニタユニット102がスライド移動しないように、移動プレートユニット146のZ方向への移動を規制する（図１２参照）。
【０１１０】
この時、回転制動部材である両側のクリック板176のクリック部がそれぞれ両側のクリック軸177の凹部177aの溝に落ち込み圧接状態でクリック係止されている。
【０１１１】
そして、このフリクショントルクをＦ1、モニタユニット102の重量をＷ1ｍとすると、
（式１）Ｆ1＞Ｗ1ｍ
（式２）Ｆ1≒２×Ｗ1ｍ
となるよう力量関係を設定することにより、モニタユニット102が回転位置180°でクリック係止され、かつクリック係止位置以外の図示しない90°から180°までの回転位置で圧接フリクション保持される。
【０１１２】
そして、モニタユニット102が完全に180°オープン状態になった時、両側のロック解除軸178の凸部178aが前側ロック解除ベース162を押し下げることにより、前側ロック解除ベース162の凸部162aは-Ｙ方向へ押し下げられ、移動プレートの板間170aに挿入された係合状態が解除されるため、移動プレートユニット1440はＺ方向への移動が可能となる（図１２参照）。
【０１１３】
同様に、両側のロック解除軸178の凸部178aが後側ロック解除ベース163を押し下げることにより、後側ロック解除ベース163の凸部163aは-Ｙ方向へ押し下げられ、移動プレートの板間170aに挿入された係合状態を解除されるため、移動プレートユニット146は-Ｚ方向への移動が可能となる（図１３参照）。
【０１１４】
そこで、モニタユニット102は、図５と図４との間の双方向において、Ｚ、-Ｚの両方向にスライド移動可能となる。
【０１１５】
また、ロック解除軸178の係止部178bはＤカットされていて、前後のカバー125，126に設けられた内側カバー溝部127と嵌合し、さらに、モニタカバー係止軸135もＤカットされていて、前後のカバー125，126に設けられた外側カバー溝部128と嵌合した状態でスライド可能に設けられているため、モニタユニット102はＺ軸に対してＹ方向に垂直に保持され、前記軸の回転により倒れないように規制されながらスライド移動する。
【０１１６】
そのため、カメラ100の前後のカバー125，126と両面のモニタカバー131，132の外観部との当接による損傷を回避することができる。
【０１１７】
図４の状態はいわゆる自分撮り撮影位置（モニタユニット180°オープン状態）で、モニタユニット102が回転自在に係止された移動プレートユニット146が、図５からスライド移動してカメラ本体の上面（Ｙ）の反対側のＺ方向端部にある。一方、回転軸部を軸中心に両側のクリック軸177は図２から時計方向に180°回転された図５と同一位置となっている。この時、レンズスイッチ112は移動プレートユニット146がカメラ本体の上面（Ｙ）のＺ方向端部にあるため、当接状態となりスイッチはＯＮされ、レンズユニット105は突出し撮影状態となっている。また、図示しないモニタオープンスイッチはＯＮ状態で、電子ディスプレイ107は表示状態となっている。移動プレートユニット146がカメラ本体の上面（Ｙ）のＺ方向端部にあり、モニタ反転スイッチ111はカム軸140のカム軸凸部141と非当接状態で、スイッチはＯＮ状態となっているため、電子ディスプレイ107は図２の映像の正位置表示に対して上下・左右反転表示位置で表示されている（表１参照）。
【０１１８】
なお、カム軸140のカム軸凸部141の形状を変えることにより、図３から図４の間でスイッチのＯＮ/ＯＦＦを任意に設定可能である。
【０１１９】
また、図３から時計方向に90°回転されてモニタユニットが完全に180°オープン状態になるまでは、下記の機構により移動プレートユニット146の-Z方向への移動が規制されている。すなわち、スライドベースユニット145に設けられた前側ロック解除ベース162のロック解除ベース軸161にはねじりコイルばね165がセットされ、前側ロック解除ベース162が反時計方向に付勢されている。一方、後側ロック解除ベース163のロック解除ベース軸161にはねじりコイルばね166がセットされ、後側ロック解除ベース163が時計方向に付勢されている。そこで、モニタユニット102が図４から図３への反時計方向の回動中、及び図３から図４への時計方向の回動中は、両側のロック解除軸178の凸部178aが後側ロック解除ベース163と非当接であるため、後側ロック解除ベース163の凸部163aは移動プレートの板間170aに挿入されモニタユニット102がスライド移動しないように、移動プレートユニット146の-Z方向への移動を規制する（図１３参照）。
【０１２０】
そして、モニタユニットが完全に180°オープン状態になった時、両側のロック解除軸178のロック凸部178aが後側ロック解除ベース163を押し下げることにより、後側ロック解除ベース163の凸部163aは-Ｙ方向へ押し下げられ、移動プレートの板間170aに挿入された係合状態を解除されるため、移動プレートユニット146は-Ｚ方向への移動が可能となる（図１３参照）。
【０１２１】
同様に、両側のロック解除軸178の凸部178aが前側ロック解除ベース162を押し下げることにより、前側ロック解除ベース162の凸部162aは-Ｙ方向へ押し下げられ、移動プレートの板間170aに挿入された係合状態を解除されるため、移動プレートユニット146はＺ方向への移動が可能となる（図１２参照）。
【０１２２】
そこで、モニタユニット102は、図５と図４との間の双方向において、Ｚ、-Ｚの両方向にスライド移動可能となる。
【０１２３】
また、ロック解除軸178の係止部178bはＤカットされていて、前後のカバー125，126に設けられた内側カバー溝部127と嵌合し、さらに、モニタカバー係止軸135もＤカットされていて、前後のカバー125，126に設けられた外側カバー溝部128と嵌合した状態でスライド可能に設けられているため、モニタユニット102はＺ軸に対してＹ方向に垂直に保持され、前記軸の回転により倒れないように規制されながらスライド移動する。
【０１２４】
そのため、カメラの前後のカバー125，126と両面のモニタカバー131，132の外観部の当接による損傷を回避することができる。
【０１２５】
この時、モニタユニット102は回転位置180°でクリック係止された状態であり、さらに、図５と図４との間の双方向において、スライド移動は前記嵌合状態で行われるため、適当なフリクションで保持されている。
【０１２６】
そして、自分撮り撮影位置ではセルフタイマ機能等を使用して撮影するときに、カメラ前面側から電子ディスプレイの映像を見ながら撮影を行うことができる。
【０１２７】
図３の状態はローアングル撮影位置（モニタユニット２７０°オープン状態）で、モニタユニット102が回転自在に係止された移動プレートユニット146が、図５からスライド移動してカメラ本体の上面（Ｙ）の反対側のＺ方向端部にある。一方、回転軸部を軸中心に両側のクリック軸177は図４から反時計方向に90°回転（図２から時計方向に90°）回転された位置となっている。この時、レンズスイッチ112は移動プレートユニット146がカメラ本体の上面（Ｙ）のＺ方向端部にあるため、当接状態となりスイッチはＯＮされ、レンズユニット105は突出し撮影状態となっている。また、図示しないモニタオープンスイッチはＯＮ状態で、電子ディスプレイ107は表示状態となっている。移動プレートユニット146がカメラ本体の上面（Ｙ）のＺ方向端部にあり、モニタ反転スイッチ111はカム軸のカム軸凸部141と非当接状態で、スイッチはＯＮ状態となっているため、電子ディスプレイ107は図２の映像の正位置表示に対して上下・左右反転表示位置で表示されている（表１参照）。
【０１２８】
なお、カム軸140のカム軸凸部141の形状を変えることにより、図３から図４の間でスイッチのＯＮ/ＯＦＦを任意に設定可能である。
【０１２９】
さらに、図示しない手動映像切換スイッチにより電子ディスプレイの映像表示位置の切替えは可能である。
【０１３０】
また、図２から時計方向に180°回転されてモニタユニットが完全に180°オープン状態になるまでは、下記の機構により移動プレートユニット146の-Z方向への移動が規制されている。
【０１３１】
スライドベースユニット145に設けられた前側ロック解除ベース162のロック解除ベース軸161にはねじりコイルばね165がセットされ、前側ロック解除ベース162が反時計方向に付勢されている。一方、後側ロック解除ベース163のロック解除ベース軸161にはねじりコイルばね166がセットされ、後側ロック解除ベース163が時計方向に付勢されている。そこで、モニタユニット102が図４から図３への反時計方向の回動中、及び図３から図４への時計方向の回動中は、両側のロック解除軸178の凸部178aが後側ロック解除ベース163と非当接であるため、後側ロック解除ベース163の凸部163aは移動プレートの板間170aに挿入されモニタユニット102がスライド移動しないように、移動プレートユニット146の-Z方向への移動を規制する（図１３参照）。
【０１３２】
この時、回転制動部材である両側のクリック板176のクリック部が両側のクリック軸177の凹部177aの溝に落ち込み圧接状態でクリック係止されている。
【０１３３】
そして、このフリクショントルクをＦ1、モニタユニット102の重量をＷ1ｍとすると、
（式１）Ｆ1＞Ｗ1ｍ
（式２）Ｆ1≒２×Ｗ1ｍ
となるよう力量関係を設定することにより、モニタユニット102が回転位置270°でクリック係止され、かつクリック係止位置以外の図示しない180°から270°までの回転位置で圧接フリクション保持される。
【０１３４】
そして、ローアングル撮影位置ではカメラ上面側から電子ディスプレイの映像を見ながら、ローアングルで撮影を行うことができる。
【０１３５】
図２の状態は標準撮影位置（モニタユニット３６０°オープン状態）で、モニタユニット102が回転自在に係止された移動プレートユニット146が、図５からスライド移動してカメラ本体101の上面（Ｙ）の反対側のＺ方向端部にある。一方、回転軸部を軸中心に両側のクリック軸177は図３から反時計方向に90°（図７から反時計方向に360°）回転された位置となっている。この時、レンズスイッチ112は移動プレートユニット146がカメラ本体の上面（Ｙ）のＺ方向端部にあるため、当接状態となりスイッチはＯＮされ、レンズユニット105は突出し撮影状態となっている。また、図示しないモニタオープンスイッチはＯＮ状態で、電子ディスプレイ107は表示状態となっている。移動プレートユニット146がカメラ本体の上面（Ｙ）のＺ方向端部にあり、モニタユニット102の回転によりモニタユニット102のモニタカバー係止軸135に取り付けられたカム軸140のカム軸凸部141がモニタ反転スイッチ111と当接し押圧するため、スイッチはＯＦＦ状態となり、電子ディスプレイ107の映像は正位置表示される（表１参照）。
【０１３６】
この時、回転制動部材である両側のクリック板176のクリック部が両側のクリック軸177の凹部177aの溝に落ち込み圧接状態でクリック係止されている。
【０１３７】
そして、このリクショントルクをＦ1、モニタユニット102の重量をＷ1ｍとすると、
（式１）Ｆ1＞Ｗ1ｍ
（式２）Ｆ1≒２×Ｗ1ｍ
となるよう力量関係を設定することにより、モニタユニット102が回転位置360°でクリック係止され、かつクリック係止位置以外の図示しない270°から360°までの回転位置で圧接フリクション保持されている。
【０１３８】
ここで、図示しないスイッチの動作について説明する。
【０１３９】
カメラ本体101あるいはモニタユニット102には、図示しないメイン電源スイッチ、モニタオープンスイッチ、手動映像切替スイッチ、撮影スイッチ及び再生スイッチが設けられている。
【０１４０】
メイン電源スイッチは、メイン電源のＯＮ/ＯＦＦを行うもので、ＯＦＦされるとレンズスイッチのＯＮ/ＯＦＦ状態に関係無く、レンズユニットは収納状態となり、ＯＦＦされるとモニタオープンスイッチのＯＮ/ＯＦＦ状態に関係無く、電子ディスプレイ107の表示はＯＦＦとなる。
【０１４１】
モニタオープンスイッチは、電子ディスプレイの表示のＯＮ/ＯＦＦを行う。そして、モニタユニット102がカメラ本体101の前面に閉じられると、モニタオープンスイッチがＯＦＦされる。そして、ＯＦＦされてから10秒後に電子ディスプレイ107の表示はＯＦＦされる。そして、メイン電源スイッチＯＮ状態でモニタユニット102を図７から図６まで開ける間に、電子ディスプレイ107の表示はＯＮとなる。また、メイン電源スイッチＯＦＦ状態で、電子ディスプレイ107の表示はＯＦＦとなる。
【０１４２】
手動映像切替スイッチは、映像の表示位置を自動か手動で切替えるかの選択を行う。そして、自動時にはモニタ反転スイッチのＯＮ/ＯＦＦに連動して切替え、手動時には正位置と反転位置(上下、左右、上下・左右)を任意に選択できる。なお、映像の表示位置はモニタユニット102の３６０°オープン状態図２の面（Ｚ）において、電子ディスプレイ107に表示された（Ｙ、-Ｙ）方向を（上下）方向、（Ｘ、-Ｘ）方向を（左右）方向とする映像を正位置表示とする。
【０１４３】
撮影スイッチは、撮影のＯＮ/ＯＦＦを行うもので、撮影位置（レンズスイッチがＯＮ時）において、撮影ボタンを押すことにより電子映像がメモリに記録される。
【０１４４】
再生スイッチは、再生のＯＮ/ＯＦＦを行うもので、図示しないモニタオープンスイッチがＯＮしている時、再生ボタンを押すことにより、メモリに記録されている電子映像を電子ディスプレイに表示する。
【０１４５】
次に、第２の実施の形態について、図１４ないし図２２及び表２を参照して説明する。
【０１４６】
第２の実施の形態は第１の実施の形態と同様にカメラ200のモニタユニット202が、１軸の回転作動とスライド移動により回動する方法に関するものであるが、回動機構部がカメラ本体201の側面（Ｘ）に設けられている場合であり、これと対称の側面（-Ｘ）側に設けられている場合については省略してある。
【０１４７】
そして、図１４の(a)から(f)は、モニタユニット202が360°オープン状態からクローズ状態までの往復可能な回動位置とレンズユニット205の突出・収納関係を示す回動動作図(図１５〜図２０)である。そして、図１５は標準撮影位置(モニタユニット360°オープン状態)軸の回転位置  ３６０°であり、図１６はローアングル撮影位置(モニタユニット270°オープン状態)  軸の回転位置  ２７０°であり、図１７は自分撮り撮影位置(モニタユニット180°オープン状態)軸の回転位置  180°(スライド往復移動可能、Ｚ方向端部)であり、図１８は映像再生表示位置(モニタユニット180°オープン状態)軸の回転位置  180°(スライド往復移動可能、-Ｚ方向端部)であり、図１９は映像再生表示位置(モニタユニット90°オープン状態)軸の回転位置  ９０°であり、図２０はモニタユニット収納位置(モニタユニット0°クローズ状態)  軸の回転位置  ０°である。
【０１４８】
さらに、カメラ200における構成図として、図２１は図１７の自分撮り撮影位置(モニタユニット180°オープン状態)、軸の回転位置180°(スライド往復移動可能、Ｚ方向端部)における構成図である。図２２は図１５の標準撮影位置(モニタユニット360°オープン状態)、軸の回転位置３６０°における構成図である。
【０１４９】
また、以下の表２は、モニタ反転スイッチのＯＮ-ＯＦＦとレンズスイッチのＯＮ-ＯＦＦ状態との組合せによる電子ディスプレイ207の表示位置の関係を示す表である。
【０１５０】
【表２】
2005192093.tif 000004
【０１５１】
次に、第２の実施の形態の構成を説明する。
【０１５２】
この第２の実施の形態のカメラ200は、第１の実施の形態と同様の基本構成であり、カメラ本体201、収納式のレンズユニット205、モニタユニット202、図示しないスライドユニット204で構成されているので、第1の実施の形態との相違についてのみ説明する（図１４、図２１、図２２参照）。
【０１５３】
第２の実施の形態におけるカメラ200の第１の実施の形態との相違は、第１の実施の形態と同様構造の図示しないスライドユニット204が、カメラ本体201の図示しない内部構造部材の側面（Ｘ）側に設けられている点である。なお、これと対称の側面（-Ｘ）側に設けることもできるが、この構成については説明を省略してある。
【０１５４】
第２の実施の形態の図１５〜図２０には、モニタユニット202が、１軸の回転機構と、さらに、その回転軸がスライド移動機構によりスライド移動し、カメラ本体の後面（Ｚ）から側面（Ｘ）を通過して前面（-Ｚ）に回動する動作を示す。
【０１５５】
また、第１の実施の形態と同様に、モニタユニット202は、図１５（モニタユニット202がオープン状態）から図２０（モニタユニット202がクローズ状態）または、図２０（モニタユニット202がクローズ状態）から図１５（モニタユニット202がオープン状態）まで回動する途中、任意の位置において両方向への回動が可能に設けられている。
【０１５６】
モニタユニット202が図１５の位置にある時の映像の表示を、電子ディスプレイ207に表示された（Ｙ、-Ｙ）方向を（上下）方向、（Ｘ、-Ｘ）方向を（左右）方向とする映像を正位置表示とする時、モニタユニット202はＹ軸に対して360°回動するため、その他の映像表示位置の図１６から図２０においても映像の表示位置は正位置表示となり、映像の表示位置は変化しない（表２参照）。
【０１５７】
そこで、機能上では、第1の実施の形態におけるモニタユニット102の回動に連動してＯＮ/ＯＦＦするモニタ反転スイッチ111が不用となり、削除されている点のみが相違している。
【０１５８】
また、スライドユニット204を側面（Ｘ）に配置したため、カメラ本体201のカバー225，226及びモニタユニット202のモニタカバー231，232の形状などは変更されている。
【０１５９】
このように、第１の実施の形態及び第２の実施の形態の基本的構成は、
回動式モニタ部が設けられた電子機器において、
１軸が回転作動とスライド移動を行う回動機構部がカメラ本体の上面（Ｙ）に設け（第１の実施の形態）られているか、カメラ本体の側面（Ｘ）または、これと対称の側面（-Ｘ）側に設け（第２の実施の形態）られていて、
モニタ部はクローズ状態から３６０°オープン状態まで回動し、所定の位置でクリック係止され、かつクリック係止位置以外の任意の回転範囲内位置で圧接フリクション保持され、また回動する途中の任意の位置において両方向への回動が可能で、
モニタ部が収納位置において撮影レンズ部の保護と電子ディスプレイ部の保護の両方を兼用して行うよう設けられた電子機器であり、
(１．1)  前記回転軸は、カメラ本体の上面（Ｙ）に設けられているスライドガイド部（カバー溝部127、カバー溝部128）のＺ方向端部及び-Ｚ方向端部において、それぞれ180°回転してカメラ本体に垂直に立った状態となる。
【０１６０】
この時、モニタユニット102が回転可能に係止された移動プレート170の０°から180°（図７〜図５）及び３６０°から180°（図２〜図４）の回転範囲では、モニタユニット102がカメラ本体に垂直に立った状態になるまで、前側ロック解除ベース162の凸部162a及び後側ロック解除ベース163の凸部163aが移動プレートの板間170aに挿入されため、移動プレートユニット146の第２ヒンジプレート172に取り付けられたモニタユニット102のスライド移動が出来ないよう規制される（図２、図３参照）。
【０１６１】
(１．2)  モニタユニット102が180°回転してカメラ本体101に垂直に立った状態となると、前記移動プレートユニット146のスライド移動規制が解除され、モニタユニット102はＺ，-Ｚの両方向（図４〜図５）にスライド移動可能となる。この時、スライドガイド部であるカバー溝部127と係止部178bのＤカット部が、スライドガイド部であるカバー溝部128とモニタカバー係止軸135のＤカット部が嵌合した状態でスライド移動するため、モニタユニット105がカメラ本体101に垂直に立った状態で倒れずにスライド移動することができる（図２参照）。
【０１６２】
(１．3)  前記回転軸のクリック軸177には、複数の溝状の凹部177aが設けられているため、モニタユニット102の回転によりクリック板176が溝に落ち込み、複数の所定位置でクリック係止される。
【０１６３】
この時のフリクショントルクをＦ1、モニタユニットの重量をＷ1ｍとすると、
（式１）Ｆ1＞Ｗ1ｍ
（式２）Ｆ1≒２×Ｗ1ｍ
となるよう力量関係が設定されていて、モニタユニットが所定の位置でクリック係止され、かつクリック係止位置以外の任意の位置で圧接フリクション保持される（図１１参照）。
【０１６４】
(１．4)  レンズユニット105がカメラ本体101に完全に収納状態となるまで、モニタユニット102が９０°から０°方向（図６から図７）へ回転して、レンズユニット105と当接しないよう規制するガード機構であるレンズガード板180が設けられている（図１１参照）。
【０１６５】
(１．5)  モニタユニット102の回動に連動してレンズスイッチ112がＯＮ/ＯＦＦすることにより、沈筒式レンズ鏡筒機構を有する収納式レンズユニット105が、カメラ本体101からの突出（撮影状態）／収納（映像再生状態）を自動的に切替えることができる（図１１、表１参照）。
【０１６６】
(１．6)  図示しないメイン基板からモニタユニット102への配線用のリードワイヤ182，183はモニタユニット102の回転軸部が中空構造となっていて、その中空部を通って配線されている。
【０１６７】
本実施の形態では、モニタユニット102の回転軸部の両側に２箇所ずつの配線用中空部が設けてあり、リードワイヤ182はカシメ軸174の中空部を通って配線され、リードワイヤ183は表裏のモニタカバー131，132のＤカットされた軸部であるカム軸140が取り付けられたモニタカバー係止軸135の中空部を通って配線されている（図１０、図１１参照）。
【０１６８】
(１．7)  第１の実施の形態においては、モニタユニット102の回動に連動してモニタ反転スイッチ111がＯＮ/ＯＦＦすることにより、電子ディスプレイ部に表示される映像の正位置表示と上下・左右反転位置表示を自動的に切替えることができる（図１１、表１参照）。なお、第２の実施の形態においては、モニタユニット102がＹ軸に対して360°回動するため、映像の表示位置は変化せず、モニタ反転スイッチ111が不用である。
【０１６９】
(１．8)  図示しない手動映像切替スイッチが、カメラ本体101あるいは、モニタユニット102に設けられていて、自動時にはモニタ反転スイッチ111のＯＮ/ＯＦＦに連動して、自動的に映像位置の切替えが行われ、手動時には正位置と反転位置(上下、左右、上下・左右)を任意に選択できる。
【０１７０】
このように、第１の実施の形態及び第２の実施の形態によれば、従来の構成に対し、第１の実施の形態および第２の実施の形態において、モニタユニット102が収納時に撮影レンズ部の保護と電子ディスプレイ部の保護を行い、また、モニタユニット102の回転軸が回転し、さらに、ガイド部をスライド移動するのみならず、スライド移動用ガイド部をカメラ本体101の前面（撮影レンズ側）以外に設けたことにより、モニタユニット102が収納状態から３６０°回動するため、操作者の見る方向に応じてモニタユニット102の姿勢を変えることができる（図１参照）。
【０１７１】
そして、この時、回転軸のフリクショントルクをＦ1、モニタユニットの重量をＷ1ｍとすると、
（式１）Ｆ1＞Ｗ1ｍ
（式２）Ｆ1≒２×Ｗ1ｍ
となるよう力量関係を設定することにより、モニタユニットが所定の位置でクリック係止され、かつクリック係止位置以外の任意の位置で圧接フリクション保持される（図１１参照）。
【０１７２】
また、この時、モニタユニット102の回動に連動してレンズスイッチがＯＮ/ＯＦＦすることにより、沈筒式レンズ鏡筒機構を有する収納式レンズユニット105が、カメラ本体101からの突出（撮影状態）／収納（映像再生状態）を自動的に切替えることができる（表１参照）。
【０１７３】
また、レンズユニット105がカメラ本体101に完全に収納状態となるまで、モニタユニット102が９０°から０°方向（図６から図７）へ回転しないよう規制するガード機構としてレンズガード板180が設けられているため、モニタユニット102の回動中におけるレンズユニット105との当接による損傷を防止できる（図１１参照）。
【０１７４】
モニタユニット102の回動中の回転軸がカメラ本体101のスライドガイド部のＺ方向端部及び-Ｚ方向端部においては、モニタユニット102が180°回転してカメラ本体101に垂直に立った状態になるまで、モニタユニット102のスライド移動が出来ないよう規制できる（図１２、図１３）。
【０１７５】
さらに、モニタユニット102のスライド移動中は、モニタユニット102がカメラ本体101に垂直に立った状態で倒れずにスライド移動する機構になっているため、モニタユニット102のカバー131，132とカメラ101のカバー125，126の外観部が当接して損傷を受けることがない。
【０１７６】
また、メイン基板からモニタユニット102への配線用のリードワイヤ182，183は、モニタユニット182の回転軸部が中空構造となっていて、その中空部を通って配線されているため、外部へ露出せず損傷を受けることがない。
【０１７７】
この時、第１の実施の形態において、モニタユニット102の回動に連動してモニタ反転スイッチがＯＮ/ＯＦＦすることにより、電子ディスプレイ部に表示される映像の正位置表示と上下・左右反転位置表示を自動的に切替えることができる（表１参照）。なお、第２の実施の形態においては、モニタユニット102がＹ軸に対して360°回動するため、映像の表示位置は変化せず、モニタ反転スイッチ111が不用である。
【０１７８】
次に、第３の実施の形態について図２３〜図３７、及び表３を参照して説明する。
【０１７９】
第３の実施の形態は、カメラ300のモニタユニット302が、平行に設けられた２軸の回転作動により回動する方法に関するものであり、回動機構部の第１の軸がカメラ本体301の上面（Ｙ）のＺ軸方向の中央部に設けられている場合である。
【０１８０】
図２３の下段(a)から(d)及び上段の(e)すなわち図２４ないし図２８は、モニタユニット302がクローズ状態から360°オープン状態までの回動位置と、レンズユニット305の突出・収納関係を示す回動動作図（図２４から図２８）であり、図２３の上段の(e)から(f)及び下段の(a)はモニタユニット302が360°オープン状態からクローズ状態までの回動位置と、レンズユニット305の突出・収納関係を示す回動動作図（図２８から図２４）である。
【０１８１】
そして、図２４はモニタユニット収納位置(モニタユニット0°クローズ状態)、軸の回転位置（第１の軸  0°、第２の軸  0°）、図２５は映像再生表示位置(モニタユニット90°オープン状態)、軸の回転位置（第１の軸  0°、第２の軸  ９0°）、図２６は映像再生表示位置(モニタユニット180°オープン状態)、軸の回転位置（第１の軸  0°、第２の軸  180°）、図２７は映像再生表示位置(モニタユニット270°オープン状態)、軸の回転位置（第１の軸  ９0°、第２の軸  180°）、図２８は標準撮影位置(モニタユニット360°オープン状態)、軸の回転位置（第１の軸180°、第２の軸  180°）、図２９はローアングル撮影位置(モニタユニット270°オープン状態)、軸の回転位置（第１の軸180°、第２の軸  ９0°）、図３０は自分撮り撮影位置(モニタユニット180°オープン状態)、軸の回転位置（第１の軸180°、第２の軸  0°）、図３１は映像再生表示位置(モニタユニット90°オープン状態)、軸の回転位置（第１の軸  ９0°、第２の軸  0°）である。また、図２４ないし図３１において、(a)は斜視図、(b)は支持機構の斜視図である。
【０１８２】
そして、カメラ300における構成図、ユニット構成図及び部品展開図について、図３２は図３０の自分撮り撮影位置(モニタユニット180°オープン状態)、軸の回転位置（第１の軸180°、第２の軸  0°）における構成図である。図３３は図２８の標準撮影位置(モニタユニット360°オープン状態)、軸の回転位置（第１の軸180°、第２の軸  180°）における構成図である。図３４は図２８の標準撮影位置(モニタユニット360°オープン状態)、軸の回転位置（第１の軸180°、第２の軸  180°）におけるユニット構成図である。図３５は図２８の標準撮影位置(モニタユニット360°オープン状態)、軸の回転位置（第１の軸180°、第２の軸  180°）における部品展開図である。図３６は図２８の標準撮影位置(モニタユニット360°オープン状態)、軸の回転位置（第１の軸180°、第２の軸  180°）における一側のストッパプレート334の部分の詳細部品展開図である。図３７は図２８の標準撮影位置(モニタユニット360°オープン状態)、軸の回転位置（第１の軸180°、第２の軸Ｏ２  180°）における他側のストッパプレート335の部分の詳細部品展開図である。
【０１８３】
また、以下の表３は、モニタ反転スイッチのＯＮ-ＯＦＦとレンズスイッチのＯＮ-ＯＦＦ状態との組合せによる電子ディスプレイ307の表示位置の関係を示す表である。
【０１８４】
【表３】
2005192093.tif 000005
【０１８５】
なお、以下の説明においては、モニタユニット302が収納位置にある時を０°として、各部材の回転・回動角度を表している。
【０１８６】
そして、この第３の実施の形態では、カメラ300は、カメラ本体301、収納式のレンズユニット305、モニタユニット302、支持機構としてのヒンジユニット304で構成されている（図３２、図３３、図３４参照）。
【０１８７】
そこで、ヒンジユニット304のカメラ本体301と回転可能に係止された軸部を第１の軸Ｏ１と呼び、ヒンジユニット304のモニタユニット302と回転可能に係止された軸部を第２の軸Ｏ２と呼ぶことにする。
【０１８８】
また、カメラ本体301は、後面のカバー311及び前面のカバー312、及びレンズスイッチ313を備えている。そして、モニタユニット302は、表面のモニタカバー315及び裏面のモニタカバー316を備えている。また、ヒンジユニット304は、一対のヒンジカバー321，322を備え、これらヒンジカバー321，322の内側に、第１のヒンジプレート331、第２のヒンジプレート332、両側に対をなすストッパプレート334，335を備えている。さらに、これら部材を回動可能に接続するため、３対のカシメ軸341、クリックばね342、クリック板343、クリック軸344と、１個のカシメ軸345を備えている。さらに、ヒンジユニット304には、カム軸351、モニタ反転スイッチ352、レンズガード板355、及びリードワイヤ358，359が配置されている。また、カメラ本体301の前面には、フラッシュ360が設けられている。
【０１８９】
また、図２３の下段(a)〜(d)に示す図２４、図２５、図２６、図２７、及び図２３の上段(e)に示す図２８では、クローズ状態のモニタユニット302がカメラ本体301の前面（-Ｚ）から上面（Ｙ）を通過して、360°オープン状態のモニタユニット302が後面（Ｚ）まで回動する動作を示し、図２３の上段(e)〜(h)に示す図２８、図２９、図３０、図３１、及び図２３の下段(a)に示す図２４では、360°オープン状態のモニタユニット302がカメラ本体の後面（Ｚ）から上面（Ｙ）を通過してクローズ状態のモニタユニット302が前面（-Ｚ）まで回動する動作を示す。
【０１９０】
また、モニタユニット302は、図２４（モニタユニット302がクローズ状態）から図２８（モニタユニット302が360°オープン状態）または、図２８（モニタユニット302が360°オープン状態）から図２４（モニタユニット302がクローズ状態）まで回動する途中でも、任意の位置において両方向への回動が可能に設けられている。但し、後述するように、２軸とも各回転範囲は180°以内に規制されている。
【０１９１】
また、図２３は各回動位置におけるモニタユニット302及びヒンジユニット304のクリック係止状態と、収納式のレンズユニット305のレンズ鏡筒が突出した撮影状態と収納された非撮影状態を示している。
【０１９２】
さらに、各回転軸部に設けられた回転制動部材によりモニタユニット302は、クリック係止位置以外の図示しない任意の回転範囲内位置で圧接フリクション保持可能に設けられている。
【０１９３】
なお、第３の実施の形態では、モニタユニット302の重量をＷ3ｍ、ヒンジユニット304の重量をＷ3ｈ、第１の軸Ｏ１の回転制動力をＦ3b、第２の軸Ｏ２の回転制動力をＦ3aとした時に、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302とヒンジユニット304が所定の位置でクリック係止され、かつクリック係止位置以外の図示しない任意の回転範囲内位置で圧接フリクション保持される。
【０１９４】
カメラ本体301は、図示しない内部構造部材の前面（-Ｚ）側に収納式のレンズユニット305、上面（Ｙ）側にレンズスイッチ313が取り付けられている。
【０１９５】
また、モニタユニット302が取り付けられたヒンジユニット304の構成部材である第１ヒンジプレート331がカメラ本体301の図示しない内部構造部材の上面（Ｙ）側に取り付け固定されている。
【０１９６】
そして、前後のカバー311及びカバー312が、カメラ本体301の図示しない内部構造部材とヒンジユニット304の構成部材である第１ヒンジプレート331を挟持して取り付けられている。
【０１９７】
収納式レンズユニット305は非撮影状態の時にカメラ本体301の内部に収納される、いわゆる沈筒式機構を有するレンズ鏡筒であり、カメラ本体301の図示しない内部構造部材の後面（Ｚ）の上側に取り付けられたレンズスイッチ313がＯＮした時、カバー311の前面（-Ｚ）の孔部から突出し撮影状態となり、ＯＦＦした時レンズユニット305は収納され非撮影状態となる。
【０１９８】
また、カメラ本体301あるいはモニタユニット302には、図示しないメイン電源スイッチ、モニタオープンスイッチ、手動映像切替スイッチ、撮影スイッチ及び再生スイッチが設けられている。
【０１９９】
図３５〜図３７にモニタユニット302がオープン状態である図２８の時の各機構部の詳細部品構成を示す。
【０２００】
モニタユニット302は、電子ディスプレイ307及び図示しない内部構造部材が表裏のモニタカバー315またはモニタカバー316に取り付けられて構成されている。
【０２０１】
また、表裏のモニタカバー315，316は、ヒンジユニット304の第２の軸Ｏ２を構成する２個のカシメ軸341，345の構成部材を挟持した状態で、第２ヒンジプレート332に取り付けられ、モニタユニット302が180°回転可能に係止されている。
【０２０２】
さらに、モニタユニット302は、第２の軸Ｏ２に設けられた回転制動部材であるクリックばね342、クリック板343、クリック軸344に形成した凹部344bにより、クリック係止位置以外の図示しない任意の回転範囲内位置で圧接フリクション保持可能に設けられている。
【０２０３】
この時のフリクショントルクは、第２の軸Ｏ２の回転制動力をＦ3a、第１の軸Ｏ１の回転制動力をＦ3b、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302とヒンジユニット304が所定の位置でクリック係止され、かつクリック係止位置以外の図示しない任意の回転範囲内位置で圧接フリクション保持される。
【０２０４】
また、第２の軸Ｏ２の構成部材であるカム軸351が他側のカシメ軸345のＤカット部に嵌合して固定されていて、モニタユニット302の回転に連動して、カム軸351から突設したカム軸凸部351aがモニタ反転スイッチ352をＯＮ/ＯＦＦする。
【０２０５】
そして、映像の表示位置の切替えは、モニタ反転スイッチ352のＯＮ-ＯＦＦとレンズスイッチ313のＯＮ-ＯＦＦとの組合せにより、正位置表示と上下・左右反転位置表示の切替えが自動的に行われる（表３参照）。
【０２０６】
なお、映像の表示位置は図２８において、電子ディスプレイ107に表示された（Ｙ、-Ｙ）方向を（上下）方向、（Ｘ、-Ｘ）方向を（左右）方向とする映像を正位置表示とする。
【０２０７】
ヒンジユニット304には、モニタユニット302を取り付けて回転可能に係止する第２の軸Ｏ２のための第２ヒンジプレート332が、両側一対のストッパプレート334，335により回動可能に係止されている。さらに、第１ヒンジプレート331には、カメラ本体301と回転可能に係止された第１の軸Ｏ１が設けられていて、カメラ本体301の図示しない内部構造部材に取り付けられている。
【０２０８】
そして、一対のヒンジカバー321，322は構成部材を覆うために、第１の軸Ｏ１と第２の軸Ｏ２を回動可能に係合する両側一対のストッパプレート334，335に取り付けられている。
【０２０９】
次に、モニタユニット302が回動可能に係合する一対のカシメ軸341，345の軸中心を結んだ第２の軸Ｏ２の構成について説明する。
【０２１０】
第２ヒンジプレート332には、一側にクリック軸344、他側にカシメ軸345がカシメられている。さらに、クリック軸344には、カシメ軸341にクリックばね342及びクリック板343が挿入されたものが挿入される。一側のカシメ軸341は、一側のストッパプレート334にカシメられる。この時、クリックばね342、クリック板343の内径部は小判型になっており、カシメ軸341に対応する個所も小判形状していて位置決めされる。この為、第２の軸Ｏ２によるモニタユニット302の回転においてはカシメ軸341の位置は固定である。一方、第２ヒンジプレート332にカシメられたクリック軸344は、第２ヒンジプレート332に取り付けられたモニタカバー315とモニタカバー316に挟持された状態で係合しているため、モニタユニット302の回転に連動して回転を行う。第２ヒンジプレート332の回動に伴う第２の軸Ｏ２の回転範囲は180°である。そして、モニタユニット302は第２の軸Ｏ２の回転途中においてもクリックばね342により任意の位置で圧接フリクション保持される。
【０２１１】
この時、第２の軸Ｏ２のクリック軸344には複数の溝状の凹部344bが形成され、モニタユニット302の回転と係合して回転することにより、クリック板343の突出部が凹部344bに入り込むことでクリック係止されている。
【０２１２】
次に、ヒンジユニット304がカメラ本体301と回動可能に係合する両側一対のカシメ軸341の軸中心を結んだ第１の軸Ｏ１の構成について説明する。
【０２１３】
第１ヒンジプレート331には、両側のクリック軸344がカシメられている。各クリック軸344には、カシメ軸341にクリックばね342、クリック板343を挿入したものが挿入される。そして、各カシメ軸341は、それぞれストッパプレート334，335にカシメられる。この時、クリックばね342、クリック板343の内径部は小判型になっており、各カシメ軸341の対応する個所も小判形状していて各軸に対して位置決めされる。また、各クリック軸344には複数の溝状の凹部344bがあり、各カシメ軸341の第１の軸Ｏ１の回転によりクリック板343の突出部がクリック軸344の凹部344bにはまり込むことでクリック係止されている。また、モニタユニット302は、第１の軸Ｏ１の回転途中においてもクリックばね342により、任意の位置で圧接フリクション保持される。そして、ストッパプレート334及びストッパプレート335の回動に伴う第１の軸Ｏ１の回転範囲は180°である。
【０２１４】
この時のフリクショントルクは、第２の軸Ｏ２の回転制動力をＦ3a、第１の軸Ｏ１の回転制動力をＦ3b、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302とヒンジユニット304が所定の位置でクリック係止され、かつクリック係止位置以外の図示しない任意の回転範囲内位置で圧接フリクション保持される。
【０２１５】
そして、第１の軸Ｏ１と第２の軸Ｏ２の往復可能な回転範囲はそれぞれ180°で、時計方向および反時計方向ともに180°以上回転しないよう規制されている（図３６、図３７参照）。
【０２１６】
第２ヒンジプレート332にカシメられた他側のカシメ軸345は、ストッパプレート335の孔に挿入され、ストッパプレート335を挟み込んだ状態でこのカシメ軸345にカム軸351が取り付けられている。同様に、カシメ軸345とカム軸351は、第２ヒンジプレート332に取り付けられたモニタカバー315とモニタカバー316とに挟持された状態で係合しているため、モニタユニット302の回転に連動して回転を行う。
【０２１７】
そこで、ストッパプレート335に取り付けられたモニタ反転スイッチ352は、カム軸351の回転によりカム軸351のカム軸凸部351aが、モニタ反転スイッチ352と当接してスイッチをＯＮ-ＯＦＦすることにより、映像の正位置表示と上下・左右反転位置表示を自動的に切替える。
【０２１８】
但し、映像の表示位置の切替えは、モニタ反転スイッチ352のＯＮ-ＯＦＦとレンズスイッチ313のＯＮ-ＯＦＦとの組合せにより、正位置表示と上下・左右反転位置表示の切替えが自動的に行われる（表３参照）。
【０２１９】
レンズスイッチ313はカメラ本体301の図示しない内部構造部材の上面（Ｙ）側に取り付けられていて、第１の軸Ｏ１の回転に連動した他側のカシメ軸341の凸部341bにより、スイッチをＯＮ-ＯＦＦされる。第１の軸Ｏ１が反時計方向に180°回転した位置でスイッチがＯＮされると、収納式のレンズユニット305のレンズ鏡筒が突出して撮影状態となり、それ以外の回転位置ではスイッチがＯＦＦされレンズ鏡筒は収納されて非撮影状態となる（表３参照）。
【０２２０】
そして、図示しないメイン基板からモニタユニット302への配線用のリードワイヤ358は、第１の軸Ｏ１である他側のカシメ軸341及び、第２の軸Ｏ２である他側のカシメ軸345の中空部を通ってモニタユニット内の電子ディスプレイ307等へ配線されている。同様に、図示しないメイン基板からモニタユニット302への配線用のリードワイヤ359は、第１の軸Ｏ１である一側のカシメ軸341及び、第２の軸Ｏ２である一側カシメ軸341の中空部を通ってモニタユニット内の電子ディスプレイ307や図示しないスイッチ等へ配線されている。
【０２２１】
レンズガード板355は、レンズユニット105の突出・収納状態とリンクして作動するよう設けられていて、モニタユニット302が図３０の位置から図２４の収納位置まで短時間で回動された時、レンズユニット305がカメラ本体301内に完全に収納状態とならない場合に、モニタユニット302が図３１の位置において、第１の軸Ｏ１が９０°から０°の時計方向（図３１から図２４）へ回転しないよう規制するガード機構として設けられている。そこで、レンズガード板355により電子ディスプレイ307とレンズユニット305の鏡筒部とが当接することによる損傷等の不具合が防止される。
【０２２２】
以下の説明においては、モニタユニット302が収納位置にある時を０°として、各部材の回転・回動角度を表している。
【０２２３】
まず、この第３の実施の形態の図２３において、モニタユニット302が第１の軸Ｏ１及び第２の軸Ｏ２の回転・回動作動により、図２３の下段(a)〜(d)に示す図２４、図２５、図２６、図２７、及び図２３の上段(e)に示す図２８では、クローズ状態のモニタユニット302がカメラ本体301の前面（-Ｚ）から上面（Ｙ）を通過して、360°オープン状態のモニタユニット302が後面（Ｚ）まで回動する動作を説明する。次いで、図２３の上段(e)〜(h)に示す図２８、図２９、図３０、図３１、及び図２３の下段(a)に示す図２４では、360°オープン状態のモニタユニット302がカメラ本体301の面後（Ｚ）から上面（Ｙ）を通過してクローズ状態のモニタユニット302が前面（-Ｚ）まで回動する動作を説明する。
【０２２４】
また、モニタユニット302は、図２４（モニタユニット302がクローズ状態）から図２８（モニタユニット302が360°オープン状態）または、図２８（モニタユニット302が360°オープン状態）から図２４（モニタユニット302がクローズ状態）まで回動する途中でも、任意の位置において両方向への回動が可能に設けられている。
【０２２５】
そして、ヒンジユニット304の第２の軸Ｏ２および第１の軸Ｏ１が、各々時計方向及び反時計方向へ180°以上回転しないよう規制されていて、かつ前記力量関係によりモニタユニットが収納位置図２４から３６０°オープン位置図２８まで反時計方向で回動する場合と、モニタユニットが３６０°オープン位置図２８から収納位置図２４まで時計方向で回動する場合で、モニタユニットの回動途中の係止位置が異なる。
【０２２６】
この第３の実施の形態では、モニタユニット302が収納位置図２４から３６０°オープン位置図２８まで反時計方向で回動する時、前記力量関係により最初に第２の軸Ｏ２が０°位置から180°反時計方向へ回転図２６する。この時、第２の軸Ｏ２は反時計方向へ180°以上回転しないようストッパプレート334，335により規制されるため、続いて第１の軸Ｏ１が０°位置から180°反時計方向へ回転し、第１の軸Ｏ１も同様に反時計方向へ180°以上回転しないようストッパプレート334，335により規制される。
【０２２７】
また、モニタユニット302が３６０°オープン位置図２８から収納位置図２４まで時計方向で回動する時、前記力量関係により最初に第２の軸Ｏ２が180°位置から180°時計方向へ回転して第２の軸Ｏ２が０°の回転位置図３０になった時、第２の軸Ｏ２は時計方向へ180°以上回転しないようストッパプレート334，335により規制されるため、続いて第１の軸Ｏ１が180°位置からから９０°時計方向へ回転し図３１、レンズスイッチ112がＯＦＦし収納式レンズユニット105がカメラ本体に収納され非撮影状態となる。
【０２２８】
さらに、第１の軸Ｏ１が９０°位置から０°位置まで９０°時計方向へ回転し、モニタユニットが収納位置図２４となる。この時、第１の軸Ｏ１は時計方向へ180°以上回転しないようストッパプレート334，335により規制される。
【０２２９】
この第１の軸Ｏ１および第２の軸Ｏ２の往復可能な回転範囲が180°以上回転しないよう規制されている規制機構について下記に説明する。
【０２３０】
図２４及に示すように、モニタユニット302収納位置（モニタユニット０°クローズ状態）において、モニタユニット302はカメラ本体301の後面（-Z）に当接した状態であり、第１の軸Ｏ１と第２の軸Ｏ２を係合する両側のストッパプレート334，335は、面（ＸＹ）に対して-Ｚ方向に垂直状態の回転位置であり、第１の軸Ｏ１は0°（図６から時計方向に180°）回転された位置となっていて、第２の軸Ｏ２も0°（図４、図５、図６から時計方向に180°）回転された位置となっている。また、図２４の第１の軸Ｏ１の回転位置は、図３０に示すように、一側のクリック軸344に形成したストッパ部344cがストッパプレート334の凸部334aに当接し、図３１に示すように、対向する他側のクリック軸344のストッパ部344dもストッパプレート335の凸部335aに同時に当接し、0°で規制されている。同様に、第２の軸Ｏ２の回転位置は、図３０に示すように、一側のクリック軸344のストッパ部344aがストッパプレート334の凸部334bに当接し、図３１に示すように、対向するカシメ軸345のストッパ部345cもストッパプレート335の凸部335bに同時に当接し、0°で規制されている（図３６、図３７参照）。
【０２３１】
そこで、第１の軸Ｏ１と第２の軸Ｏ２の合計された回動角度は０°でモニタユニットは収納されクローズ状態となっている。
【０２３２】
また、図２４における第１の軸Ｏ１の０°回転位置規制は、カメラ本体の上面（Ｙ）のカバー311の外観面とヒンジユニット304のヒンジカバー321の外観面が当接することによる損傷を防止するためにクリアランスを生じるよう設けられている。なお、カメラ本体のカバー311の上面（Ｙ）とヒンジユニット304のヒンジカバー321の露出されない外観部を当接させる構造にしても良い。
【０２３３】
そして、一対のヒンジカバー321，322は構成部材を覆うために、第１の軸Ｏ１と第２の軸Ｏ２を回動可能に係合するストッパプレート334，335に取り付けられている。
【０２３４】
同様に、図２４における第２の軸Ｏ２の０°回転位置規制は、モニタユニット302の表面（Ｆ）がカメラ本体301の後面（Ｚ）のカバー311の外観面と当接することによる損傷を防止するためにクリアランスを生じるよう設けられている。
【０２３５】
また、一側のクリック軸344のストッパ部344c、他側のクリック軸344のストッパ部344d、一側のクリック軸344のストッパ部344a、他側のカシメ軸345のストッパ部345cは（180＋２α）°範囲が凹部形状に設けられていて、対応する凸部334a、凸部335a、凸部334b、凸部335bの各凸部と嵌合している。そして、第１の軸Ｏ１、第２の軸Ｏ２の時計方向および反時計方向への全回転に伴い、各軸の凹部形状の両側端面が各ストッパプレートの凸部の両側端面と当接することにより回転は止められる。前記α°はストッパプレートの凸部の幅に相当する角度である。
【０２３６】
図２８は標準撮影位置（モニタユニット３６０°オープン状態）で、モニタユニット302はカメラ本体301の後面（Z）に当接した状態であり、第１の軸Ｏ１と第２の軸Ｏ２を係合する両側のストッパプレート334，335は、面（ＸＹ）に対してＺ方向に垂直状態の回転位置であり、第１の軸Ｏ１は180°反時計方向に回転された位置となっていて、第２の軸Ｏ２も180°反時計方向に回転された位置となっている。
【０２３７】
図２８の第１の軸Ｏ１の回転位置は、一側のクリック軸344のストッパ部344cがストッパプレート334の凸部334aに当接し、対向する他側のクリック軸344のストッパ部344dもストッパプレート335の凸部335aに同時に当接し、180°で規制されている。同様に、第２の軸Ｏ２の回転位置は、一側のクリック軸344のストッパ部344aがストッパプレート334の凸部334bに当接し、対向する他側のカシメ軸345のストッパ部345cもストッパプレート335の凸部335bに同時に当接し、180°で規制されている（図３６、図３７参照）。そこで、第１の軸Ｏ１と第２の軸Ｏ２の合計された回動角度は360°でモニタユニットは３６０°オープン状態となっている。
【０２３８】
この第１の軸Ｏ１および第２の軸Ｏ２の回転範囲が180°以上回転しないよう往復可能に規制されている規制機構について下記に説明する。なお、前記のように第１の軸Ｏ１および第２の軸Ｏ２は、時計方向および反時計方向に往復可能に180°以上回転しないよう規制されている。
【０２３９】
また、図２８における第１の軸Ｏ１の180°回転位置規制は、カメラ本体の上面（Ｙ）のカバー312の外観面とヒンジユニット304のヒンジカバー322の外観面が当接することによる損傷を防止するためにクリアランスを生じるよう設けられている。なお、カメラ本体のカバー312の上面（Ｙ）とヒンジユニット304のヒンジカバー322の露出されない外観部を当接させる構造にしても良い。
【０２４０】
同様に、図２８における第２の軸Ｏ２の180°回転位置規制は、モニタユニット302の裏面（Ｒ）がカメラ本体の後面（Ｚ）のカバー312の外観面と当接することによる損傷を防止するためにクリアランスを生じるよう設けられている。
【０２４１】
この時、クリック軸344のストッパ部344c、ストッパ部344d、ストッパ部344a、ストッパ部345cは（180＋２α）°範囲が凹部形状に設けられていて、対応する凸部334a、凸部335a、凸部334b、凸部335bの凸部と嵌合している。
【０２４２】
そして、第１の軸Ｏ１、第２の軸Ｏ２の時計方向および反時計方向への全回転に伴い、各軸の凹部形状の両側端面が各ストッパプレートの凸部の両側端面と当接することにより、回転は時計方向および反時計方向ともに180°で止められる。前記α°はストッパプレートの凸部の幅に相当する角度である（図３６、図３７参照）。
【０２４３】
なお、図示しないメイン電源スイッチは全ての位置においてＯＮ状態になっている。図示しない手動映像切替スイッチは自動切替えが選択されていて、モニタ反転スイッチ352のＯＮ/ＯＦＦとレンズスイッチ313のＯＮ-ＯＦＦ状態の組合せに連動して映像の表示位置が切替られる状態となっている（表３参照）。
【０２４４】
図２４はモニタユニット302収納位置（モニタユニット０°クローズ状態）で、モニタユニット302はカメラ本体301の前面（-Z）に当接した状態であり、モニタユニット302の表面（Ｆ）の電子ディスプレイ307と収納されたレンズユニット305は向かい合い、モニタユニット302の裏面（Ｒ）により保護されている。そして、第１の軸Ｏ１と第２の軸Ｏ２を係合する両側のストッパプレート334，335は、面（ＸＹ）に対して-Ｚ方向に垂直状態の回転位置であり、第１の軸Ｏ１は0°（図２８から時計方向に180°）の回転位置となっていて、第２の軸Ｏ２も0°（図２６、図２７、図２８から時計方向に180°）の回転位置となっている。
【０２４５】
そして、レンズスイッチ313は第１の軸Ｏ１である他側のカシメ軸341に設けられた凸部341bと非当接となっているため、スイッチはＯＦＦとなり、レンズユニット305は収納されている。また、ストッパプレート335に取り付けられているモニタ反転スイッチ352は、モニタユニット302が係合して回動する第２の軸Ｏ２であるカム軸351の回転に伴い、このカム軸351に設けられたカム軸凸部351aとの当接-非当接によりスイッチがＯＮ-ＯＦＦされる。そこで、第２の軸Ｏ２の回転位置が0°でカム軸凸部351aはモニタ反転スイッチ352に当接し押圧するためスイッチがＯＮし、第２の軸Ｏ２の回転位置が90°から180°の範囲でカム軸凸部351aはモニタ反転スイッチ352に非当接となりスイッチがＯＦＦするよう設けられている。
【０２４６】
また、図２４では第２の軸Ｏ２の回転位置が0°であり、モニタ反転スイッチ352はスイッチはＯＮ状態となっているが、図示しないモニタオープンスイッチがＯＦＦ状態となっているため、電子ディスプレイ107の映像は表示されない。但し、映像の表示位置の切替えは、モニタ反転スイッチ352のＯＮ-ＯＦＦとレンズスイッチ313のＯＮ-ＯＦＦとの組合せにより、正位置表示と上下・左右反転位置表示の切替えが自動的に行われる（表３参照）。
【０２４７】
この時、第１の軸Ｏ１の回転位置は、第１の軸Ｏ１の一側のクリック軸344のストッパ部344cがストッパプレート334の凸部334aに当接し、対向する他側のクリック軸344のストッパ部344dもストッパプレート335の凸部335aに同時に当接し、0°で規制されている。
【０２４８】
同様に、第２の軸Ｏ２の回転位置は、一側のクリック軸344のストッパ部344aがストッパプレート334の凸部334bに当接し、対向する一側のカシメ軸341のストッパ部345cもストッパプレート335の凸部335bに同時に当接し、0°で規制されている（図３６、図３７参照）。
【０２４９】
そこで、第１の軸Ｏ１と第２の軸Ｏ２の合計された回動角度は０°でモニタユニット302は収納されクローズ状態となっている。
【０２５０】
なお、前記のように第１の軸Ｏ１および第２の軸Ｏ２の往復可能な回転範囲は180°で、時計方向に180°以上回転しないよう規制されている。
【０２５１】
また、図２４における第１の軸Ｏ１の０°回転位置規制は、カメラ本体の上面（Ｙ）のカバー311の外観面とヒンジユニット304のヒンジカバー321の外観面が当接することによる損傷を防止するためにクリアランスを生じるよう設けられている。なお、カメラ本体301のカバー311の上面（Ｙ）とヒンジユニット304のヒンジカバー321の露出されない外観部を当接させる構造にしても良い。
【０２５２】
そして、一対のヒンジカバー321，322は構成部材を覆うために、第１の軸Ｏ１と第２の軸Ｏ２を回動可能に係合する両側のストッパプレート334，335に取り付けられている。
【０２５３】
同様に、図２４における第２の軸Ｏ２の０°回転位置規制は、モニタユニット302の表面（Ｆ）がカメラ本体の後面（Ｚ）のカバー311の外観面と当接することによる損傷を防止するためにクリアランスを生じるよう設けられている。
【０２５４】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が一側のクリック軸344の凹部344bの溝に落ち込み1個のクリックばね342により圧接状態でクリック係止されている。
【０２５５】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302がヒンジユニット304と係合した第２の軸Ｏ２の回転位置が0°、ヒンジユニット304がカメラ本体301と係合した第１の軸Ｏ１の回転位置が0°でクリック係止され、圧接フリクション保持される。
【０２５６】
ここで、（式５）の力量関係はクリックばね342により設定され、第１の軸Ｏ１においてクリックばね342を2個使用し、第２の軸Ｏ２においてクリックばね342を1個使用していることによる。
【０２５７】
そして、モニタユニット302はカメラ本体301の前面（-Z）に当接し、モニタユニット302の表面（Ｆ）の電子ディスプレイ307と収納されたレンズユニット305は向かい合い、モニタユニット302の裏面（Ｒ）により保護されている。
【０２５８】
図２５は映像再生表示位置（モニタユニット９０°オープン状態）で、モニタユニット302が第２の軸Ｏ２を中心に図２４から反時計方向に90°回転された位置である。第１の軸Ｏ１と係合する両側のストッパプレート334，335は図２４と同様に、面（ＸＹ）に対して-Ｚ方向に垂直状態の回転位置であり、第１の軸Ｏ１は0°（図２８から時計方向に180°）回転された位置となっていて、第２の軸Ｏ２のみが図２４から反時計方向に90°回転し90°（図２８から時計方向に90°）の回転位置となっている。
【０２５９】
レンズスイッチ313は第１の軸Ｏ１である他側のカシメ軸341に設けられた凸部341bと非当接となっているため、スイッチはＯＦＦとなり、レンズユニット305は収納されている。
【０２６０】
そして、モニタユニット302がカメラ本体の後面（Ｚ）の当接状態から反時計方向に回動するのに伴い、図示しないモニタオープンスイッチは全ての位置でＯＮ状態となり、電子ディスプレイ107の映像は表示される。
【０２６１】
そして、ストッパプレート335に取り付けられているモニタ反転スイッチ352は、モニタユニット302が係合して回動する第２の軸Ｏ２であるカム軸351が90°回転したのに伴い、このカム軸351に設けられたカム軸凸部351aと非当接となるためスイッチがＯＦＦとなる。
【０２６２】
そして、映像の表示位置は、モニタ反転スイッチ352のＯＦＦとレンズスイッチ313のＯＦＦとの組合せにより、上下・左右反転位置表示となる（表３参照）。
【０２６３】
この時、第１の軸Ｏ１の回転位置は図２４と同様に、第１の軸Ｏ１の一側のクリック軸344のクリック軸344のストッパ部344cがストッパプレート334の凸部334aに当接し、対向する他側のクリック軸344のストッパ部344dもストッパプレート335の凸部335aに同時に当接し、0°で規制されている。
【０２６４】
そして、第２の軸Ｏ２の回転位置は、一側のクリック軸344のストッパ部344aがストッパプレート334の凸部334bに非当接となり、対向する一側のカシメ軸341のストッパ部345cもストッパプレート335の凸部335bに非当接となり、90°の中間位置となっているが、圧接フリクションによりクリック係止される（図３５参照）。
【０２６５】
そこで、第１の軸Ｏ１と第２の軸Ｏ２の合計された回動角度は９０°でモニタユニットは９０°オープン状態となっている。
【０２６６】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が他側のクリック軸344の凹部344bの溝に落ち込み1個のクリックばね342により圧接状態でクリック係止されている。
【０２６７】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、
モニタユニット302が図２４から図２５まで反時計方向へ90°回動する時、第１の軸Ｏ１は回転位置0°でクリック係止されたまま回転せず、第２の軸Ｏ２のみが回転位置0°から90°まで回転する。
【０２６８】
さらに、第２の軸Ｏ２の回転軸部は、クリック係止位置以外の図示しない0°から90°までの回転位置で圧接フリクション保持され、回動途中に時計方向へも回動可能である。
【０２６９】
ここで、（式５）の力量関係はクリックばね342により設定され、第１の軸Ｏ１においてクリックばね342を2個使用し、第２の軸Ｏ２においてクリックばね342を1個使用していることによる。
【０２７０】
図２６は映像再生表示位置（モニタユニット180°オープン状態）で、モニタユニット302が第２の軸Ｏ２を中心に図２５から反時計方向に90°回転された位置である。第１の軸Ｏ１と係合する両側のストッパプレート334，335は図２４と同様に、面（ＸＹ）に対して-Ｚ方向に垂直状態の回転位置であり、第１の軸Ｏ１は0°（図２８から時計方向に180°）回転された位置となっていて、第２の軸Ｏ２のみが図２５から反時計方向に90°回転し180°（図２８と同一）の回転位置となっている。
【０２７１】
レンズスイッチ313は第１の軸Ｏ１である他側のカシメ軸341に設けられた凸部341bと非当接となっているため、スイッチはＯＦＦとなり、レンズユニット305は収納されている。
【０２７２】
ストッパプレート335に取り付けられているモニタ反転スイッチ352は、モニタユニット302が係合して回動する第２の軸Ｏ２であるカム軸351が180°回転したのに伴い、このカム軸351に設けられたカム軸凸部351aと非当接となるためスイッチがＯＦＦとなる。そして、映像の表示位置は、モニタ反転スイッチ352のＯＦＦとレンズスイッチ313のＯＦＦとの組合せにより、上下・左右反転位置表示となる（表３参照）。
【０２７３】
この時、第１の軸Ｏ１の回転位置は図２４と同様に、第１の軸Ｏ１の一側のクリック軸344のクリック軸344のストッパ部344cがストッパプレート334の凸部334aに当接し、対向する他側のクリック軸344のストッパ部344dもストッパプレート335の凸部335aに同時に当接し、0°で規制されている。
【０２７４】
モニタユニット302が図２５から図２６まで反時計方向へ回動する時、第１の軸Ｏ１と第２の軸Ｏ２のフリクショントルクの力量関係により第１の軸Ｏ１はクリック係止されていて回転しない。同様に、第２の軸Ｏ２の回転位置は、一側のクリック軸344のストッパ部344aがストッパプレート334の凸部334bに当接し、対向する一側のカシメ軸341のストッパ部345cもストッパプレート335の凸部335bに同時に当接し、180°回転位置で規制されている（図３６、図３７参照）。そこで、第１の軸Ｏ１と第２の軸Ｏ２の合計された回動角度は180°でモニタユニットは180°オープン状態となっている。
【０２７５】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が他側のクリック軸344の凹部344bの溝に落ち込み1個のクリックばね342により圧接状態でクリック係止されている。
【０２７６】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、
モニタユニット302が図２５から図２６まで反時計方向へ90°回動する時、第１の軸Ｏ１は回転位置0°でクリック係止されたまま回転せず、第２の軸Ｏ２のみが回転位置90°から180°まで回転する。
【０２７７】
さらに、第２の軸Ｏ２の回転軸部は、クリック係止位置以外の図示しない90°から180°までの回転位置で圧接フリクション保持され、回動途中に時計方向へも回動可能である。
【０２７８】
ここで、（式５）の力量関係はクリックばね342により設定され、第１の軸Ｏ１においてクリックばね342を2個使用し、第２の軸Ｏ２においてクリックばね342を1個使用していることによる。
【０２７９】
図２７は映像再生表示位置（モニタユニット２７０°オープン状態）で、モニタユニット302が第１の軸Ｏ１を中心に図２６から反時計方向に90°回転された位置である。第１の軸Ｏ１と係合する両側のストッパプレート334，335は、面（ＸＺ）に対してＹ方向に垂直状態の回転位置であり、第２の軸Ｏ２は図２６と同一の180°（図２８と同一）の回転位置で規制されたままであり、第１の軸Ｏ１のみが図２６から反時計方向に90°回転し90°（図２８から時計方向に90°）の回転位置となっている。
【０２８０】
レンズスイッチ313は第１の軸Ｏ１である他側のカシメ軸341に設けられた凸部341bと非当接となっているため、スイッチはＯＦＦとなり、レンズユニット305は収納されている。ストッパプレート335に取り付けられているモニタ反転スイッチ352は、モニタユニット302が係合して回動する第２の軸Ｏ２であるカム軸351が180°回転していて、このカム軸351に設けられたカム軸凸部351aと非当接となるためスイッチがＯＦＦとなる。そして、映像の表示位置は、モニタ反転スイッチ352のＯＦＦとレンズスイッチ313のＯＦＦとの組合せにより、上下・左右反転位置表示となる（表３参照）。
【０２８１】
この時、第１の軸Ｏ１の回転位置は、第１の軸Ｏ１の一側のクリック軸344のクリック軸344のストッパ部344cがストッパプレート334の凸部334aに非当接となり、対向する他側のクリック軸344のストッパ部344dもストッパプレート335の凸部335aに非当接となり、90°の中間位置となっているが、圧接フリクションによりクリック係止される（図３５参照）。
【０２８２】
同様に、第２の軸Ｏ２の回転位置は図２６と同様に、一側のクリック軸344のストッパ部344aがストッパプレート334の凸部334bに当接し、対向する一側のカシメ軸341のストッパ部345cもストッパプレート335の凸部335bに同時に当接し、180°回転位置で規制されている（図３６、図３７参照）。
【０２８３】
そこで、第１の軸Ｏ１と第２の軸Ｏ２の合計された回動角度は２７０°でモニタユニットは２７０°オープン状態となっている。
【０２８４】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が他側のクリック軸344の凹部344bの溝に落ち込み1個のクリックばね342により圧接状態でクリック係止されている。
【０２８５】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302が図２６から図２７まで反時計方向へ回動する時、第２の軸Ｏ２は回転位置180°でクリック係止され回転せず、第１の軸Ｏ１のみが回転位置90°まで回転する。
【０２８６】
さらに、第１の軸Ｏ１の回転軸部は、クリック係止位置以外の図示しない0°から90°までの回転位置で圧接フリクション保持され、回動途中に時計方向へも回動可能である。
【０２８７】
同様に、第２の軸Ｏ２の回転軸部は、クリック係止位置以外の図示しない0°から180°までの回転位置で圧接フリクション保持され、回動途中に時計方向へも回動可能である。
【０２８８】
ここで、（式５）の力量関係はクリックばね342により設定され、第１の軸Ｏ１においてクリックばね342を2個使用し、第２の軸Ｏ２においてクリックばね342を1個使用していることによる。
【０２８９】
図２８は標準撮影位置（モニタユニット３６０°オープン状態）で、モニタユニット302が第１の軸Ｏ１を中心に図２７から反時計方向に90°回転された位置である。第１の軸Ｏ１と係合する両側のストッパプレート334，335は、面（ＸＹ）に対してＺ方向に垂直状態の回転位置であり、第２の軸Ｏ２は180°（図２６と同一）の回転位置のままであり、第１の軸Ｏ１のみが図２７から反時計方向に90°回転し180°（図２４から反時計方向に180°）の回転位置となっている。
【０２９０】
レンズスイッチ313は第１の軸Ｏ１である他側のカシメ軸341に設けられた凸部341bと当接状態となるため、スイッチはＯＮとなり、レンズユニット305は突出されている。ストッパプレート335に取り付けられているモニタ反転スイッチ352は、モニタユニット302が係合して回動する第２の軸Ｏ２であるカム軸351が180°回転していて、このカム軸351に設けられたカム軸凸部351aと非当接となるためスイッチがＯＦＦとなる。そして、映像の表示位置は、モニタ反転スイッチ352のＯＦＦとレンズスイッチ313のＯＮとの組合せにより、正位置表示となる（表３参照）。
【０２９１】
この時、第１の軸Ｏ１の回転位置は、第１の軸Ｏ１の一側のクリック軸344のクリック軸344のストッパ部344cがストッパプレート334の凸部334aに当接し、対向する他側のクリック軸344のストッパ部344dもストッパプレート335の凸部335aに同時に当接し、180°で規制されている。同様に、第２の軸Ｏ２の回転位置は、一側のクリック軸344のストッパ部344aがストッパプレート334の凸部334bに当接し、対向する一側のカシメ軸341のストッパ部345cもストッパプレート335の凸部335bに同時に当接し、180°で規制されている（図３６、図３７参照）。
【０２９２】
そこで、第１の軸Ｏ１と第２の軸Ｏ２の合計された回動角度は360°でモニタユニットは３６０°オープン状態となっている。
【０２９３】
なお、前記のように第１の軸Ｏ１および第２の軸Ｏ２の往復可能な回転範囲は180°で、反時計方向に180°以上回転しないよう規制されている。
【０２９４】
また、図２８における第１の軸Ｏ１の180°回転位置規制は、カメラ本体の上面（Ｙ）のカバー312の外観面とヒンジユニット304のヒンジカバー322の外観面が当接することによる損傷を防止するためにクリアランスを生じるよう設けられている。
【０２９５】
しかし、カメラ本体のカバー312の上面（Ｙ）とヒンジユニット304のヒンジカバー322の露出されない外観部を当接させる構造にしても良い。
【０２９６】
同様に、図２８における第２の軸Ｏ２の180°回転位置規制は、モニタユニット302の裏面（Ｒ）がカメラ本体の後面（Ｚ）のカバー312の外観面と当接することによる損傷を防止するためにクリアランスを生じるよう設けられている。
【０２９７】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が他側のクリック軸344の凹部344bの溝に落ち込み1個のクリックばね342により圧接状態でクリック係止されている。
【０２９８】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、
モニタユニット302が図２７から図２８まで反時計方向へ回動する時、第２の軸Ｏ２は回転位置180°でクリック係止され回転せず、第１の軸Ｏ１のみが回転位置180°まで回転する。さらに、第１の軸Ｏ１の回転軸部は、クリック係止位置以外の図示しない0°から180°までの回転位置で圧接フリクション保持され、回動途中に時計方向へも回動可能である。同様に、第２の軸Ｏ２の回転軸部は、クリック係止位置以外の図示しない0°から180°までの回転位置で圧接フリクション保持され、回動途中に時計方向へも回動可能である。
【０２９９】
ここで、（式５）の力量関係はクリックばね342により設定され、第１の軸Ｏ１においてクリックばね342を2個使用し、第２の軸Ｏ２においてクリックばね342を1個使用していることによる。
【０３００】
図２９はローアングル撮影位置（モニタユニット２７０°オープン状態）で、モニタユニット302が第２の軸Ｏ２を中心に図２８から時計方向に90°回転された位置である。第１の軸Ｏ１と係合する両側のストッパプレート334，335は図２８と同様に、面（ＸＹ）に対してＺ方向に垂直状態の回転位置であり、第１の軸Ｏ１は180°（図２４から反時計方向に180°）回転された位置のままで、第２の軸Ｏ２のみが図２８から時計方向に90°回転し90°（図２５と同一）の回転位置となっている。
【０３０１】
レンズスイッチ313は第１の軸Ｏ１である他側のカシメ軸341に設けられた凸部341bと当接状態となるため、スイッチはＯＮとなり、レンズユニット305は突出されている。ストッパプレート335に取り付けられているモニタ反転スイッチ352は、モニタユニット302が係合して回動する第２の軸Ｏ２であるカム軸351が図２８から時計方向に90°回転したのに伴い、このカム軸351に設けられたカム軸凸部351aと非当接となるためスイッチがＯＦＦとなる。そして、映像の表示位置は、モニタ反転スイッチ352のＯＦＦとレンズスイッチ313のＯＮとの組合せにより、正位置表示となる（表３参照）。
【０３０２】
この時、第１の軸Ｏ１の回転位置は、第１の軸Ｏ１の一側のクリック軸344のクリック軸344のストッパ部344cがストッパプレート334の凸部334aに当接し、対向する他側のクリック軸344のストッパ部344dもストッパプレート335の凸部335aに同時に当接し、180°で規制されている。
【０３０３】
そして、第２の軸Ｏ２の回転位置は、一側のクリック軸344のストッパ部344aがストッパプレート334の凸部334bに非当接となり、対向する一側のカシメ軸341のストッパ部345cもストッパプレート335の凸部335bに非当接となり、90°の中間位置となっているが、圧接フリクションによりクリック係止される（図３５参照）。
【０３０４】
そこで、第１の軸Ｏ１と第２の軸Ｏ２の合計された回動角度は２７０°でモニタユニットは２７０°オープン状態となっている。
【０３０５】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が他側のクリック軸344の凹部344bの溝に落ち込み1個のクリックばね342により圧接状態でクリック係止されている。
【０３０６】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302が図２８から図２９まで時計方向へ90°回動する時、第１の軸Ｏ１は回転位置180°でクリック係止されたまま回転せず、第２の軸Ｏ２のみが回転位置180°から90°まで回転する。さらに、第２の軸Ｏ２の回転軸部は、クリック係止位置以外の図示しない180°から90°までの回転位置で圧接フリクション保持され、回動途中に反時計方向へも回動可能である。
【０３０７】
ここで、（式５）の力量関係はクリックばね342により設定され、第１の軸Ｏ１においてクリックばね342を2個使用し、第２の軸Ｏ２においてクリックばね342を1個使用していることによる。
【０３０８】
図３０は自分撮り撮影位置（モニタユニット180°オープン状態）で、モニタユニット302が第２の軸Ｏ２を中心に図２９から時計方向に90°回転された位置である。第１の軸Ｏ１と係合する両側一対のストッパプレート334，335は図２８と同様に、面（ＸＹ）に対してＺ方向に垂直状態の回転位置であり、第１の軸Ｏ１は180°（図２４から反時計方向に180°）回転された位置のままで、第２の軸Ｏ２のみが図２９から時計方向に90°回転し0°（図２４と同一）の回転位置となっている。
【０３０９】
レンズスイッチ313は第１の軸Ｏ１である他側のカシメ軸341に設けられた凸部341bと当接状態となるため、スイッチはＯＮとなり、レンズユニット305は突出されている。ストッパプレート335に取り付けられているモニタ反転スイッチ352は、モニタユニット302が係合して回動する第２の軸Ｏ２であるカム軸351が図２８から180°時計方向に回転し0°の回転位置となったのに伴い、このカム軸351に設けられたカム軸凸部351aと当接状態となるためスイッチがＯＮとなる。そして、映像の表示位置は、モニタ反転スイッチ352のＯＮとレンズスイッチ313のＯＮとの組合せにより、上下・左右反転位置表示となる（表３参照）。
【０３１０】
この時、第１の軸Ｏ１の回転位置は、第１の軸Ｏ１の一側のクリック軸344のクリック軸344のストッパ部344cがストッパプレート334の凸部334aに当接し、対向する他側のクリック軸344のストッパ部344dもストッパプレート335の凸部335aに同時に当接し、180°で規制されている。同様に、第２の軸Ｏ２の回転位置は、一側のクリック軸344のストッパ部344aがストッパプレート334の凸部334bに当接し、対向する一側のカシメ軸341のストッパ部345cもストッパプレート335の凸部335bに同時に当接し、0°で規制されている（図３６、図３７参照）。
【０３１１】
そこで、第１の軸Ｏ１と第２の軸Ｏ２の合計された回動角度は180°でモニタユニットは180°オープン状態となっている。
【０３１２】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が他側のクリック軸344の凹部344bの溝に落ち込み1個のクリックばね342により圧接状態でクリック係止されている。
【０３１３】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302が図２９から図３０まで時計方向へ90°回動する時、第１の軸Ｏ１は回転位置180°でクリック係止されたまま回転せず、第２の軸Ｏ２のみが回転位置90°から0°まで回転する。さらに、第２の軸Ｏ２の回転軸部は、クリック係止位置以外の図示しない180°から0°までの回転位置で圧接フリクション保持され、回動途中に反時計方向へも回動可能である。
【０３１４】
ここで、（式５）の力量関係はクリックばね342により設定され、第１の軸Ｏ１においてクリックばね342を2個使用し、第２の軸Ｏ２においてクリックばね342を1個使用していることによる。
【０３１５】
図３１は映像再生表示位置（モニタユニット９０°オープン状態）で、モニタユニット302が第１の軸Ｏ１を中心に図３０から時計方向に90°回転された位置である。第１の軸Ｏ１と係合する両側のストッパプレート334，335は図２７と同様に、面（ＸＺ）に対してＹ方向に垂直状態の回転位置であり、第２の軸Ｏ２は0°（図２４と同一）の回転位置のままであり、第１の軸Ｏ１のみが図３０から時計方向に90°回転し90°（図２４から反時計方向に90°）の回転位置となっている。
【０３１６】
レンズスイッチ313は第１の軸Ｏ１である他側のカシメ軸341に設けられた凸部341bと非当接となっているため、スイッチはＯＦＦとなり、レンズユニット305は収納されている。ストッパプレート335に取り付けられているモニタ反転スイッチ352は、モニタユニット302が係合して回動する第２の軸Ｏ２であるカム軸351は0°の回転位置の図３０と同一のままで、このカム軸351に設けられたカム軸凸部351aと当接しスイッチがＯＮとなっている。そして、映像の表示位置は、モニタ反転スイッチ352のＯＮとレンズスイッチ313のＯＦＦとの組合せにより、上下・左右反転位置表示となる（表３参照）。
【０３１７】
この時、第１の軸Ｏ１の回転位置は、第１の軸Ｏ１の一側のクリック軸344のクリック軸344のストッパ部344cがストッパプレート334の凸部334aに非当接となり、対向する他側のクリック軸344のストッパ部344dもストッパプレート335の凸部335aに非当接となり、90°の中間位置となっているが、圧接フリクションによりクリック係止される（図３５参照）。同様に、第２の軸Ｏ２の回転位置は、一側のクリック軸344のストッパ部344aがストッパプレート334の凸部334bに当接し、対向する一側のカシメ軸341のストッパ部345cもストッパプレート335の凸部335bに同時に当接し、0°で規制されている（図３６、図３７参照）。
【０３１８】
そこで、第１の軸Ｏ１と第２の軸Ｏ２の合計された回動角度は９０°でモニタユニットは９０°オープン状態となっている。
【０３１９】
この時、第１の軸Ｏ１の回転制動部材である2個のクリック板343の突出部が一側のクリック軸344の凹部344eと他側のクリック軸344の凹部344fの溝に落ち込み2個のクリックばね342により圧接状態でクリック係止され、第２の軸Ｏ２の回転制動部材である1個のクリック板343の突出部が他側のクリック軸344の凹部344bの溝に落ち込み1個のクリックばね342により圧接状態でクリック係止されている。
【０３２０】
そこで、第１の軸Ｏ１と第２の軸Ｏ２のフリクショントルクの力量関係は、
第１の軸Ｏ１の回転制動力をＦ3b、第２の軸Ｏ２の回転制動力をＦ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
の力量関係となるよう設定されているため、モニタユニット302が図３０から図３１まで時計方向へ90°回動する時、第２の軸Ｏ２は回転位置0°で回転規制されたまま回転せず、第１の軸Ｏ１のみが回転位置1800°から90°まで回転する。
【０３２１】
さらに、第１の軸Ｏ１の回転軸部は、クリック係止位置以外の図示しない180°から90°までの時計方向へ90°の回転位置で圧接フリクション保持され、回動途中に反時計方向へも回動可能である。同様に、第２の軸Ｏ２の回転軸部は、クリック係止位置以外の図示しない180°から0°までの回転位置で圧接フリクション保持され、回動途中に反時計方向へも回動可能である。
【０３２２】
ここで、（式５）の力量関係はクリックばね342により設定され、第１の軸Ｏ１においてクリックばね342を2個使用し、第２の軸Ｏ２においてクリックばね342を1個使用していることによる。
【０３２３】
なお、モニタユニット302が図３０位置から図２４の収納位置まで短時間で回動された時、レンズユニット305がカメラ本体内に完全に収納状態とならない場合には、電子ディスプレイ307とレンズユニット305の鏡筒部とが当接することにより損傷等の不具合が発生するおそれがある。そこで、モニタユニット302が図３１位置において、ヒンジユニットの第１の軸Ｏ１の両側のストッパプレート334，335が９０°から０°方向（図３１から図２４）へ回転しないように、レンズユニット105の突出・収納状態とリンクして規制するガード機構として、レンズガード板355が設けられている。
【０３２４】
図２４はモニタユニット102収納位置（モニタユニット０°クローズ状態）で上記の構成と同一である。すなわち、モニタユニット302は第１の軸Ｏ１を中心に図３１から時計方向に90°回転された位置となり、モニタユニット302はカメラ本体301の前面（-Z）に当接した状態であり、第１の軸Ｏ１と第２の軸Ｏ２を係合する両側のストッパプレート334，335は、面（ＸＹ）に対して-Ｚ方向に垂直状態の回転位置であり、第１の軸Ｏ１は0°（図２８から時計方向に180°）の回転位置となっていて、第２の軸Ｏ２も0°（図２８から時計方向に180°）の回転位置となっている。モニタユニット302が反時計方向に回動してカメラ本体の後面（Ｚ）に当接状態するのに伴い、図示しないモニタオープンスイッチはＯＦＦ状態となり、電子ディスプレイ107の映像は非表示となる（表３参照）。
【０３２５】
ここで、図示しないスイッチの動作について説明する。
【０３２６】
カメラ本体301あるいはモニタユニット302には、図示しないメイン電源スイッチ、モニタオープンスイッチ、手動映像切替スイッチ、撮影スイッチ及び再生スイッチが設けられている。
【０３２７】
メイン電源スイッチはメイン電源のＯＮ/ＯＦＦを行うもので、ＯＦＦされるとレンズスイッチのＯＮ/ＯＦＦ状態に関係無く、レンズユニットは収納状態となり、ＯＦＦされるとモニタオープンスイッチのＯＮ/ＯＦＦ状態に関係無く、電子ディスプレイの表示はＯＦＦとなる。
【０３２８】
モニタオープンスイッチは、電子ディスプレイの表示のＯＮ/ＯＦＦを行うもので、モニタユニットがカメラ前面に閉じられると、モニタオープンスイッチがＯＦＦされる。また、ＯＦＦされてから10秒後に電子ディスプレイの表示はＯＦＦされる。また、メイン電源スイッチＯＮ状態でモニタユニットを図２４から図２５まで開ける間に、電子ディスプレイの表示はＯＮとなる。さらに、メイン電源スイッチＯＦＦ状態で、電子ディスプレイの表示はＯＦＦとなる。
【０３２９】
手動映像切替スイッチは、映像の表示位置を自動か手動で切替えるかの選択を行うもので、自動時にはモニタ反転スイッチのＯＮ/ＯＦＦに連動して切替る。また、手動時には正位置と反転位置(上下、左右、上下・左右)を任意に選択できる。なお、映像の表示位置はモニタユニットの３６０°オープン状態図２８の面（Ｚ）において、電子ディスプレイ307に表示された（Ｙ、-Ｙ）方向を（上下）方向、（Ｘ、-Ｘ）方向を（左右）方向とする映像を正位置表示とする。
【０３３０】
撮影スイッチは撮影のＯＮ/ＯＦＦを行うもので、撮影位置（レンズスイッチがＯＮ時）において、撮影ボタンを押すことにより電子映像がメモリに記録される。
【０３３１】
再生スイッチは再生のＯＮ/ＯＦＦを行うもので、図示しないモニタオープンスイッチがＯＮしている時、再生ボタンを押すことにより、メモリに記録されている電子映像を電子ディスプレイに表示する。
【０３３２】
次に、第４の実施の形態を図３８ないし図４８、表４を参照して説明する。
【０３３３】
第４の実施の形態は第３の実施の形態と同様に、回動機構部の第１の軸Ｏ１がカメラ本体401の側面（Ｘ）のＺ軸方向の中央部に設けられている場合であり、これと対称の側面（-Ｘ）に設けられている場合については省略してある。
【０３３４】
図３８の下段の(a)から(d)及び上段の(e)は、カメラ400のモニタユニット402がクローズ状態から360°オープン状態までの回動位置と、レンズユニット405の突出・収納関係を示す回動動作図（図３９から図４３）であり、図３８の上段の(e)から(h)及び下段の(a)はモニタユニット402が360°オープン状態からクローズ状態までの回動位置と、レンズユニット405の突出・収納関係を示す回動動作図（図４３から図３９）である。
【０３３５】
そして、図３９はモニタユニット収納位置(モニタユニット0°クローズ状態)、軸の回転位置（第１の軸Ｏ１  0°、第２の軸Ｏ２  0°）、図４０は映像再生表示位置(モニタユニット90°オープン状態)、軸の回転位置（第１の軸Ｏ１  0°、第２の軸Ｏ２  ９0°）、図４１は映像再生表示位置(モニタユニット180°オープン状態)、軸の回転位置（第１の軸Ｏ１  0°、第２の軸Ｏ２  180°）、図４２は映像再生表示位置(モニタユニット270°オープン状態)、軸の回転位置（第１の軸Ｏ１  ９0°、第２の軸Ｏ２  180°）、図４３は標準撮影位置(モニタユニット360°オープン状態)、軸の回転位置（第１の軸Ｏ１  180°、第２の軸Ｏ２  180°）、図４４はローアングル撮影位置(モニタユニット270°オープン状態)、軸の回転位置（第１の軸Ｏ１  180°、第２の軸Ｏ２  ９0°）、図４５は自分撮り撮影位置(モニタユニット180°オープン状態)、軸の回転位置（第１の軸Ｏ１  180°、第２の軸Ｏ２  0°）、図４６は映像再生表示位置(モニタユニット90°オープン状態)、軸の回転位置（第１の軸Ｏ１  ９0°、第２の軸Ｏ２  0°）である。
【０３３６】
また、カメラ400における構成図として、図４７は図４５の自分撮り撮影位置(モニタユニット180°オープン状態)、軸の回転位置（第１の軸Ｏ１  180°、第２の軸Ｏ２  0°）における構成図である。図４８は図４３の標準撮影位置(モニタユニット360°オープン状態)、軸の回転位置（第１の軸Ｏ１  180°、第２の軸Ｏ２  180°）における構成図である。
【０３３７】
また、以下の表４は、モニタ反転スイッチのＯＮ-ＯＦＦ及びレンズスイッチのＯＮ-ＯＦＦ状態と電子ディスプレイ407の表示位置の関係を示す表である。
【０３３８】
【表４】
2005192093.tif 000006
【０３３９】
第４の実施の形態のカメラ400は、第３の実施の形態と同様の基本構成であり、カメラ本体401、収納式のレンズユニット405、モニタユニット402、ヒンジユニット404で構成されているので、第３の実施の形態との相違についてのみ説明する。
【０３４０】
第４の実施の形態におけるカメラ400の第３の実施の形態との相違は、第３の実施の形態と同様構造のヒンジユニット404の第１の軸Ｏ１が、カメラ本体の図示しない内部構造部材の側面（Ｘ）側のＺ軸方向の中央部に設けられている場合である。なお、これと対称の側面（-Ｘ）側に設けられている場合については省略してある。
【０３４１】
また、第３の実施の形態と同様に、クローズ状態のモニタユニット402がカメラ本体の前面（-Ｚ）から側面（Ｘ）を通過して後面（Ｚ）まで回動し360°オープン状態となる（図３８の下段(a)〜(d)に示す図３９、図４０、図４１、図４２、及び図３８の上段(e)に示す図４３）。
【０３４２】
一方、360°オープン状態のモニタユニット402がカメラ本体の後面（Ｚ）から側面（Ｘ）を通過して前面（-Ｚ）まで回動しクローズ状態となる（図３８の上段(e)〜(h)に示す図４３、図４４、図４５、図４６、及び図３８の下段(a)に示す図３９）。
【０３４３】
この時、第３の実施の形態と同様に回動する途中でも、任意の位置において両方向への回動が可能に設けられている。但し、２軸とも各回転範囲は180°以内に規制されている。
【０３４４】
モニタユニット402が図４３の位置にある時の映像の表示を、電子ディスプレイ407に表示された（Ｙ、-Ｙ）方向を（上下）方向、（Ｘ、-Ｘ）方向を（左右）方向とする映像を正位置表示とする時、モニタユニット402はＹ軸に対して360°回動するため、その他の映像表示位置図４０から図４６においても映像の表示位置は正位置表示となり、映像の表示位置は変化しない（表４参照）。
【０３４５】
そこで、機能上では、第３の実施の形態におけるモニタユニット302の回動に連動してＯＮ/ＯＦＦするモニタ反転スイッチ352が不用となり、削除されている点のみが相違している。
【０３４６】
また、ヒンジユニット404を側面（Ｘ）に配置したため、カメラ本体401のカバー425，426及びモニタユニット202のモニタカバー431，432、ヒンジカバー433，434の形状などは変更されている。
【０３４７】
次に、第５の実施の形態を図４９ないし図５９、表５を参照して説明する。
【０３４８】
第５の実施の形態は第３の実施の形態と同様であるが、回動機構部の第１の軸Ｏ１がカメラ本体501の上面（Ｙ）の-Ｚ方向の端部に設けられている場合であり、これと対称のＺ方向の端部に設けられている場合については省略してある。
【０３４９】
図４９の下段の(a)から(d)及び上段の(e)は、カメラ500のモニタユニット502がクローズ状態から360°オープン状態までの回動位置と、レンズユニット505の突出・収納関係を示す回動動作図（図５０から図５４）であり、図４９の上段の(e)から(h)及び下段の(a)は、モニタユニット502が360°オープン状態からクローズ状態までの回動位置と、レンズユニット505の突出・収納関係を示す回動動作図（図５４から図５０）である。
【０３５０】
そして、図５０はモニタユニット収納位置(モニタユニット0°クローズ状態)、軸の回転位置（第１の軸Ｏ１  0°、第２の軸Ｏ２  0°）、図５１は映像再生表示位置(モニタユニット90°オープン状態)、軸の回転位置（第１の軸Ｏ１  0°、第２の軸Ｏ２  ９0°）、図５２は映像再生表示位置(モニタユニット180°オープン状態)、軸の回転位置（第１の軸Ｏ１  90°、第２の軸Ｏ２  90°）、図５３は映像再生表示位置(モニタユニット270°オープン状態)、軸の回転位置（第１の軸Ｏ１  180°、第２の軸Ｏ２  90°）、図５４は標準撮影位置(モニタユニット360°オープン状態)、軸の回転位置（第１の軸Ｏ１  270°、第２の軸Ｏ２  90°）、図５５はローアングル撮影位置(モニタユニット270°オープン状態)、軸の回転位置（第１の軸Ｏ１  270°、第２の軸Ｏ２  0°）、図５６は自分撮り撮影位置(モニタユニット180°オープン状態)、軸の回転位置（第１の軸Ｏ１  180°、第２の軸Ｏ２  0°）、図５７は映像再生表示位置(モニタユニット90°オープン状態)、軸の回転位置（第１の軸Ｏ１  ９0°、第２の軸Ｏ２  0°）である。
【０３５１】
また、カメラ500における構成図として、図５８は図５６の自分撮り撮影位置(モニタユニット180°オープン状態)、軸の回転位置（第１の軸Ｏ１  180°、第２の軸Ｏ２  0°）における構成図である。図５９は図５４の標準撮影位置(モニタユニット360°オープン状態)、軸の回転位置（第１の軸Ｏ１  270°、第２の軸Ｏ２  90°）における構成図である。
【０３５２】
また、以下の表５は、モニタ反転スイッチのＯＮ-ＯＦＦ及びレンズスイッチのＯＮ-ＯＦＦ状態と電子ディスプレイ507の表示位置の関係を示す表である。
【０３５３】
【表５】
2005192093.tif 000007
【０３５４】
この第５の実施の形態のカメラ500は第３の実施の形態と同様の基本構成であり、カメラ本体501、収納式のレンズユニット505、モニタユニット502、ヒンジユニット504で構成されているので、第３の実施の形態との相違についてのみ説明する。
【０３５５】
第５の実施の形態におけるカメラ500の第３の実施の形態との相違は、第３の実施の形態と同様構造のヒンジユニット504の第１の軸Ｏ１が、カメラ本体501の図示しない内部構造部材の上面（Ｙ）の-Ｚ方向の端部に設けられている場合である。なお、これと対称の上面（Ｙ）のＺ方向の端部に設けられている場合については省略してある。
【０３５６】
また、第３の実施の形態と同様に、クローズ状態のモニタユニット502がカメラ本体501の前面（-Ｚ）から上面（Ｙ）を通過して後面（Ｚ）まで回動し360°オープン状態となる（図４９の下段(a)〜(d)に示す図５０、図５１、図５２、図５３、及び図４９の上段(e)に示す図５４）。
【０３５７】
一方、360°オープン状態のモニタユニット502がカメラ本体の後面（Ｚ）から上面（Ｙ）を通過して前面（-Ｚ）まで回動しクローズ状態となる（図４９の上段(e)〜(h)に示す図５４、図５５、図５６、図５７、及び図４９の下段(a)に示す図５０）。
【０３５８】
この時、第３の実施の形態と同様に回動する途中でも、任意の位置において両方向への回動が可能に設けられている。但し、第３の実施の形態ではヒンジユニット304の第１の軸Ｏ１及び第２の軸Ｏ２の各回転範囲はともに180°であったが、第５の実施の形態ではヒンジユニット504の第２の軸Ｏ２の回転範囲が９０°、第１の軸Ｏ１の回転範囲が２７０°で規制されている点が相違している。
【０３５９】
モニタユニット502が図５４の位置にある時の映像の表示を、電子ディスプレイ507に表示された（Ｙ、-Ｙ）方向を（上下）方向、（Ｘ、-Ｘ）方向を（左右）方向とする映像を正位置表示とする時、各位置における映像表示位置は第３の実施の形態と同一である（表５参照）。
【０３６０】
また、ヒンジユニット504の第１の軸Ｏ１を上面（Ｙ）の-Ｚ方向の端部に配置したため、カメラ本体501のカバー525，526及びモニタユニット502のモニタカバー531，532、ヒンジカバー533，534の形状などは変更されている。
【０３６１】
次に、第６の実施の形態を図６０ないし図７０、表６を参照して説明する。
【０３６２】
第６の実施の形態は第３の実施の形態と同様であるが、回動機構部の第１の軸Ｏ１がカメラ本体の側面（Ｘ）の-Ｚ方向の端部に設けられている場合であり、これと対称のＺ方向の端部に設けられている場合については省略してある。同様に、第６の実施の形態と対称の側面（-Ｘ）の-Ｚ方向の端部に設けられている場合と、これと対称のＺ方向の端部に設けられている場合については省略してある。
【０３６３】
図６０の下段の(a)から(d)及び上段の(e)は、カメラ600のモニタユニット602がクローズ状態から360°オープン状態までの回動位置と、レンズユニット605の突出・収納関係を示す回動動作図（図６１から図６５）であり、図６０の上段の(e)から(h)及び下段の(a)は、モニタユニット602が360°オープン状態からクローズ状態までの回動位置と、レンズユニット605の突出・収納関係を示す回動動作図（図６５から図６１）である。
【０３６４】
そして、図６１はモニタユニット収納位置(モニタユニット0°クローズ状態)、軸の回転位置（第１の軸Ｏ１  0°、第２の軸Ｏ２  0°）、図６２は映像再生表示位置(モニタユニット90°オープン状態)、軸の回転位置（第１の軸Ｏ１  0°、第２の軸Ｏ２  ９0°）、図６３は映像再生表示位置(モニタユニット180°オープン状態)、軸の回転位置（第１の軸Ｏ１  90°、第２の軸Ｏ２  90°）、図６４は映像再生表示位置(モニタユニット270°オープン状態)、軸の回転位置（第１の軸Ｏ１  180°、第２の軸Ｏ２  90°）、図６５は標準撮影位置(モニタユニット360°オープン状態)、軸の回転位置（第１の軸Ｏ１  270°、第２の軸Ｏ２  90°）、図６６はローアングル撮影位置(モニタユニット270°オープン状態)、軸の回転位置（第１の軸Ｏ１  270°、第２の軸Ｏ２  0°）、図６７は自分撮り撮影位置(モニタユニット180°オープン状態)、軸の回転位置（第１の軸Ｏ１  180°、第２の軸Ｏ２  0°）、図６８は映像再生表示位置(モニタユニット90°オープン状態)、軸の回転位置（第１の軸Ｏ１  270°、第２の軸Ｏ２  90°）である。
【０３６５】
また、カメラ600における構成図として、図６９は図６７の自分撮り撮影位置(モニタユニット180°オープン状態)、軸の回転位置（第１の軸Ｏ１  180°、第２の軸Ｏ２  0°）における構成図である。図７０は図６５の標準撮影位置(モニタユニット360°オープン状態)、軸の回転位置（第１の軸Ｏ１  180°、第２の軸Ｏ２  180°）における構成図である。
【０３６６】
また、以下の表６は、モニタ反転スイッチのＯＮ-ＯＦＦ及びレンズスイッチのＯＮ-ＯＦＦ状態と電子ディスプレイ607の表示位置の関係を示す表である。
【０３６７】
【表６】
2005192093.tif 000008
【０３６８】
第６の実施の形態のカメラ600は第３の実施の形態と同様の基本構成であり、カメラ本体601、収納式のレンズユニット605、モニタユニット602、ヒンジユニット604で構成されているので、第３の実施の形態との相違についてのみ説明する。
【０３６９】
第６の実施の形態におけるカメラ600の第３の実施の形態との相違は、第３の実施の形態と同様の構造のヒンジユニット604の第１の軸Ｏ１が、カメラ本体601の側面（Ｘ）の-Ｚ方向の端部に設けられている場合であり、これと対称のＺ方向の端部に設けられている場合については省略してある。
【０３７０】
同様に、第６の実施の形態と対称の側面（-Ｘ）の-Ｚ方向の端部に設けられている場合と、これと対称のＺ方向の端部に設けられている場合については省略してある。
【０３７１】
また、第３の実施の形態と同様に、クローズ状態のモニタユニット602がカメラ本体の前面（-Ｚ）から側面（Ｘ）を通過して後面（Ｚ）まで回動し360°オープン状態となる（図６０の下段(a)〜(d)に示す図６１、図６２、図６３、図６４、及び図６０の上段(e)に示す図６５）。
【０３７２】
一方、360°オープン状態のモニタユニット602がカメラ本体の後面（Ｚ）から側面（Ｘ）を通過して前面（-Ｚ）まで回動しクローズ状態となる（図６０の上段(e)〜(h)に示す図６５、図６６、図６７、図６８、及び図６０の下段(a)に示す図６１）。
【０３７３】
この時、第３の実施の形態と同様に回動する途中でも、任意の位置において両方向への回動が可能に設けられている。
【０３７４】
但し、第３の実施の形態ではヒンジユニット304の第１の軸Ｏ１及び第２の軸Ｏ２の各回転範囲はともに180°であったが、第６の実施の形態ではヒンジユニット604の第２の軸Ｏ２の回転範囲が９０°、第１の軸Ｏ１の回転範囲が２７０°である点が相違している。
【０３７５】
モニタユニット602が図６５の位置にある時の映像の表示を、電子ディスプレイ607に表示された（Ｙ、-Ｙ）方向を（上下）方向、（Ｘ、-Ｘ）方向を（左右）方向とする映像を正位置表示とする時、モニタユニット602はＹ軸に対して360°回動するため、その他の映像表示位置図６２から図６８においても映像の表示位置は正位置表示となり、映像の表示位置は変化しない（表６参照）。そこで、機能上では、第３の実施の形態におけるモニタユニット302の回動に連動してＯＮ/ＯＦＦするモニタ反転スイッチ352が不用となり、削除されている点が相違している。
【０３７６】
また、ヒンジユニット604の第１の軸Ｏ１を側面（Ｘ）の-Ｚ方向の端部に配置したため、カメラ本体601のカバー625，626及びモニタユニット602のモニタカバー631，632、ヒンジカバー633，634の形状などは変更されている。
【０３７７】
このように、第３の実施の形態ないし第６の実施の形態の基本的構成は、
回動式モニタ部が設けられた電子機器において、
平行に設けられた２軸の回転作動により回動する回動機構部の第１の軸Ｏ１がカメラ本体の上面（Ｙ）の中央部（第３の実施の形態）及び、Ｚ，-Ｚ方向の端部（第５の実施の形態）に設けられているか、カメラ本体の側面（Ｘ）の中央部（第４の実施の形態）及び、Ｚ，-Ｚ方向の端部（第６の実施の形態）または、これと対称の側面（-Ｘ）側に設けられていて、
モニタ部は回動機構部の平行に設けられた第１の軸Ｏ１と第２の軸Ｏ２がそれぞれ所定の角度ずつ回転し、クローズ状態から３６０°オープン状態まで回動し、所定の位置でクリック係止され、かつクリック係止位置以外の任意の回転範囲内位置で圧接フリクション保持され、また回動する途中の任意の位置において両方向への回動が可能で、
モニタ部が収納位置において撮影レンズ部の保護と電子ディスプレイ部の保護の両方を兼用して行うよう設けられた電子機器であり、
第２の軸Ｏ２の一側のクリック軸344には複数の溝状の凹部344bがあり、また、第１の軸Ｏ１の両側のクリック軸344にも複数の溝状の凹部344e，344fがあり、モニタユニット302の回転と係合して回転することによりクリック板343の突出部が各軸の溝状凹部に入り込むことでクリック係止されている。
【０３７８】
この時、第１の軸Ｏ１および第２の軸Ｏ２のフリクショントルクをＦ3b、Ｆ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
となるよう力量関係が設定されていて、モニタユニットとヒンジユニットが所定の位置でクリック係止され、かつクリック係止位置以外の図示しない任意の回転範囲内位置で圧接フリクション保持されるものである。
【０３７９】
また、第３の実施の形態(第４の実施の形態も回転範囲規制は同一)では、ヒンジユニット304の第２の軸Ｏ２および第１の軸Ｏ１が、各々時計方向及び反時計方向へ180°以上回転しないよう規制されていて、かつ前記力量関係によりモニタユニットが収納位置図２４から３６０°オープン位置図２８まで反時計方向で回動する場合と、モニタユニットが３６０°オープン位置図２８から収納位置図２４まで時計方向で回動する場合とで、モニタユニットの回動途中の係止位置が異なる。
【０３８０】
第３の実施の形態では、モニタユニット302が図２４の収納位置から図２８の３６０°オープン位置まで反時計方向で回動する時、前記力量関係により最初に第２の軸Ｏ２が０°位置から180°反時計方向へ回転する(図２６)。この時、第２の軸Ｏ２は反時計方向へ180°以上回転しないようストッパプレート334，335により規制されるため、続いて第１の軸Ｏ１が０°位置から180°反時計方向へ回転し、第１の軸Ｏ１も同様に反時計方向へ180°以上回転しないようストッパプレート334，335により規制される。
【０３８１】
また、モニタユニットが図２８の３６０°オープン位置から図２４の収納位置まで時計方向で回動する時、前記力量関係により最初に第２の軸Ｏ２が180°位置から180°時計方向へ回転して第２の軸Ｏ２が図３０の０°の回転位置になった時、第２の軸Ｏ２は時計方向へ180°以上回転しないようストッパプレート334，335により規制されるため、続いて第１の軸Ｏ１が180°位置からから９０°時計方向へ回転し(図３１)、レンズスイッチ112がＯＦＦし収納式レンズユニット105がカメラ本体に収納され非撮影状態となる。
【０３８２】
さらに、第１の軸Ｏ１が９０°位置から０°位置まで９０°時計方向へ回転し、モニタユニットが図２４の収納位置となる。この時、第１の軸Ｏ１は時計方向へ180°以上回転しないようストッパプレート334，335により規制される。
【０３８３】
第５の実施の形態(第６の実施の形態も回転範囲規制は同一)では、ヒンジユニット504の第２の軸Ｏ２の回転範囲が９０°、第１の軸Ｏ１の回転範囲が２７０°で規制されていて、かつ、前記力量関係によりモニタユニット502が収納位置図５０から３６０°オープン位置図５４まで反時計方向で回動する場合と、モニタユニット502が３６０°オープン位置図５４から収納位置図５０まで時計方向で回動する場合とで、モニタユニットの回動途中の係止位置が異なる。
【０３８４】
前記第３、第５の実施の形態のように、第１の軸Ｏ１及び第２の軸Ｏ２の異なる回転規制範囲は、各回転軸のストッパプレート334，335の凸部の幅により設定され、ストッパ部材の強度を考慮すると、０°〜約３００°の回転範囲で設定可能である。
【０３８５】
レンズユニット305がカメラ本体に完全に収納状態となるまで、ヒンジユニットが９０°から０°方向（図３１から図２４）へ回転して、レンズユニット305と当接しないよう規制するガード機構であるレンズガード板355が設けられている。
【０３８６】
レンズスイッチ313のＯＮ/ＯＦＦは、モニタユニット302の回動に連動してヒンジユニット304の第１の軸Ｏ１である他側のカシメ軸341に設けられた凸部341bがレンズスイッチ313に当接し押圧することにより行われ、沈筒式レンズ鏡筒機構を有する収納式レンズユニット305が、カメラ本体から突出（撮影状態）／収納（映像再生状態）を自動的に行うことができる（表３〜６参照）。
【０３８７】
図示しないメイン基板からモニタユニット302への配線用のリードワイヤは、モニタユニットの回転軸部が２軸とも中空構造となっていて、その中空部を通って配線されている。
【０３８８】
第３の実施の形態では、ヒンジユニット304の回転軸部の第１の軸Ｏ１及び第２の軸Ｏ２とも両側に配線用中空部が設けてあり、リードワイヤ358は、第１の軸Ｏ１である他側のカシメ軸341及び、第２の軸Ｏ２である他側のカシメ軸345の中空部を通ってモニタユニット内へ配線され、リードワイヤ359は、第１の軸Ｏ１である一側のカシメ軸341及び、第２の軸Ｏ２である一側カシメ軸341の中空部を通ってモニタユニット内へ配線されている（図３４、図３５参照）。
【０３８９】
第３の実施の形態および第５の実施の形態において、モニタ反転スイッチ352のＯＮ/ＯＦＦはモニタユニットの回動に連動する第２の軸Ｏ２であるカム軸351に設けられたカム軸凸部351aがモニタ反転スイッチ352に当接し押圧することにより行われるが、映像の表示位置の切替えは、モニタ反転スイッチ352のＯＮ-ＯＦＦとレンズスイッチ313のＯＮ-ＯＦＦとの組合せにより、正位置表示と上下・左右反転位置表示の切替えが自動的に行われる（図３５、表３〜６参照）。
【０３９０】
なお、第４の実施の形態および第６の実施の形態においては、モニタユニット302がＹ軸に対して360°回動するため、映像の表示位置は変化せず、モニタ反転スイッチ352が不用である。
【０３９１】
図示しない手動映像切替スイッチが、カメラ本体あるいは、モニタユニットに設けられていて、自動時にはモニタ反転スイッチ352のＯＮ/ＯＦＦとレンズスイッチ313のＯＮ-ＯＦＦ状態の組合せにより自動的に切替えが行われ、手動時には正位置と反転位置(上下、左右、上下・左右)を任意に選択できる。
【０３９２】
このように、第３の実施の形態ないし第６の実施の形態によれば、
モニタユニットが２軸の回転・回動機構により２軸の合計で３６０°回動し、モニタユニットが収納時に電子ディスプレイ部の保護を行い、モニタユニットが収納状態から３６０°回動するため、操作者の見る方向に応じてモニタユニットの姿勢を変えることができるのみならず、平行する２軸の回転・回動機構を設けたことにより、モニタユニットが収納時に撮影レンズ部の保護と電子ディスプレイ部の保護を兼用することができる。
【０３９３】
この時、第３の実施の形態及び第４の実施の形態においては、第１の軸Ｏ１および第２の軸Ｏ２のフリクショントルクをＦ3b、Ｆ3a、モニタユニット302の重量をＷ3ｍ、ヒンジユニット304の重量をＷ3ｈとすると、
（式３）Ｆ3b＞Ｆ3a＞（Ｗ3ｍ＋Ｗ3ｈ）
（式４）Ｆ3a≒２×（Ｗ3ｍ＋Ｗ3ｈ）
（式５）Ｆ3b≒２×Ｆ3a
となるよう力量関係を設定することにより、モニタユニットとヒンジユニットが所定の位置でクリック係止され、かつクリック係止位置以外の図示しない任意の回転範囲内位置で圧接フリクション保持される。
【０３９４】
そこで、モニタユニットが収納位置図２４から３６０°オープン位置図２８まで反時計方向で回動する時、前記力量関係により最初に第２の軸Ｏ２が０°位置から180°反時計方向へ回転図２６する。この時、第２の軸Ｏ２は反時計方向へ180°以上回転しないよう規制されるため、続いて第１の軸Ｏ１が０°位置から180°反時計方向へ回転し、第１の軸Ｏ１も同様に反時計方向へ180°以上回転しないよう規制され、レンズスイッチ112がＯＮし収納式レンズユニット105がカメラ本体から突出し撮影位置図２８となるので、映像再生表示位置（図２５〜図２７、図３１）ではモニタユニットの回動中におけるレンズユニットとの当接による損傷を防止できる。
【０３９５】
また、モニタユニットが３６０°オープン位置図２８から収納位置図２４まで時計方向で回動する時、前記力量関係により最初に第２の軸Ｏ２が180°位置から180°時計方向へ回転して０°の回転位置図３０になった時、第２の軸Ｏ２は時計方向へ180°以上回転しないよう規制されるため、続いて第１の軸Ｏ１が180°位置から９０°時計方向へ回転し図３１、レンズスイッチ112がＯＦＦし収納式レンズユニット105がカメラ本体に収納され非撮影状態となるので、モニタユニットの回動中におけるレンズユニットとの当接による損傷を防止できる。
【０３９６】
さらに、第１の軸Ｏ１が９０°位置から０°位置まで９０°時計方向へ回転し、モニタユニットが収納位置図２４となる。この時、第１の軸Ｏ１は時計方向へ180°以上回転しないよう規制される。この第１の軸Ｏ１の回転規制により、ヒンジカバー321及びヒンジカバー322が、カメラのカバー311及びカバー312と当接して損傷することを防止できる。
【０３９７】
なお、第１の軸Ｏ１が時計方向及び反時計方向へ180°以上回転しないよう規制する構造については、ヒンジカバーとカメラのカバーの双方の外観に露出しない箇所を当接させる構造にしてもよい。
【０３９８】
さらに、レンズユニット305がカメラ本体に完全に収納状態となるまで、ヒンジユニットが９０°から０°方向（図３１から図２４）へ回転しないよう規制するガード機構としてレンズガード板355が設けられているため、モニタユニットの回動中におけるレンズユニットとの当接による損傷を防止できる。
【０３９９】
この時、モニタユニットの回動に連動してレンズスイッチがＯＮ/ＯＦＦすることにより、沈筒式レンズ鏡筒機構を有する収納式レンズユニットが、カメラ本体からの突出（撮影状態）／収納（映像再生状態）を自動的に切替えることができる。
【０４００】
また、メイン基板からモニタユニットへの配線用のリードワイヤは、モニタユニットの回転軸部が２軸とも中空構造となっていて、その中空部を通って配線されているため、外部へ露出せず損傷を受けることがない。
【０４０１】
この時、第３の実施の形態および第５の実施の形態において、モニタユニットの回動に連動するモニタ反転スイッチのＯＮ/ＯＦＦとレンズスイッチのＯＮ-ＯＦＦ状態の組合せにより、電子ディスプレイ部に表示される映像の正位置表示と上下・左右反転位置表示を自動的に切替えることができる。なお、第４の実施の形態および第６の実施の形態においては、モニタユニット302がＹ軸に対して360°回動するため、映像の表示位置は変化せず、モニタ反転スイッチ352が不用である。
【０４０２】
次に、第７の実施の形態を図７１、図７２を参照して説明する。
【０４０３】
この第７の実施の形態は、第１の実施の形態ないし第６の実施の形態のいずれかの支持機構を有する複数のユニット702a，702b，702cがカメラ本体701の複数の面に設けられた場合のものでる。
【０４０４】
そして、図７１は、全てのユニット702a，702b，702cが収納状態（第１のユニット702aの回転位置が  0°、第２のユニット702bの回転位置が  0°、第３のユニット702cの回転位置が  0°）のカメラの構成図である。図７２は、第１のユニット702aの回転位置が360°オープン状態、第２のユニット702bの回転位置が180°オープン状態、第３のユニット702cの回転位置が180°オープン状態の時のカメラ700の構成図である。
【０４０５】
図７１、図７２について説明する。
【０４０６】
この第７の実施の形態のカメラ700は、本発明の第１の実施の形態ないし第６の実施の形態のいずれかの支持機構104〜604を有する複数のユニットがカメラ本体701の複数の面に設けられた場合のものであり、本実施の形態では、３個のユニット702a，702b，702cがカメラ本体701の３つの面に設けられている。
【０４０７】
この第７の実施の形態では、第１の実施の形態の支持機構104を有する第１のユニット702aがカメラ本体701の上面（Ｙ）に設けられ、第４の実施の形態の支持機構404を有する第２のユニット702bがカメラ本体701の側面（Ｘ）に設けられ、第４の実施の形態と対称の支持機構404を有する第３のユニット702cがカメラ本体701の側面（-Ｘ）に設けられている。
【０４０８】
そして、これらのユニット702a，702b，702cをカメラ本体701の前面（-Ｚ）に収納する回動順番は、最初に第１のユニット702aを収納し、次に第２のユニット702bを収納し、最後に第３のユニット702cが収納される。なお、各面に配置されたユニット702a，702b，702cの収納がどのような回動順番で収納されるかにより、各々の回動機構の中から最適なものが選択して使用される。
【０４０９】
また、第１のユニット702aの表面（Ｆ）には電子ディスプレイ707が設けられていて、裏面（Ｒ）側は３６０°オープン時にカメラ本体の後面（Ｚ）側と当接する面となるため何も設けられていないが、キーボード部等の複数の機能部材を設けることもできる。また、第２のユニット702bの表面（Ｆ）にはタッチパネル711とフラッシュ712が、裏面（Ｒ）側には電子ディスプレイ714等の機能部材が設けられている。さらに、第３のユニット702cの表面（Ｆ）にはキーボード716が設けられているが、裏面（Ｒ）側は収納時に外部に露出される面となるため何も設けられていない。
【０４１０】
しかし、上記第１のユニット702a及び第２のユニット702bのように、収納時にカメラ本体701と第３のユニット702cとの中間部に位置し、外部に露出されないユニットにおいては、その両側の面（表面（Ｆ）、裏面（Ｒ））に電子ディスプレイ部、キーボード部、フラッシュ部等の複数の機能部材を設けることもできる。
【０４１１】
そこで、各ユニットの複数の機能に対応して複数の機能をＯＮ-ＯＦＦするために設けられた図示しない複数のスイッチは、使用方法に応じた組合せにより制御されるよう設定することが可能であるが、省略してある。
【０４１２】
このように、第７の実施の形態の基本的構成は、
本発明の第１の実施の形態ないし第６の実施の形態のいずれかの支持機構を有する少なくとも一つ以上のユニットが電子機器本体の少なくとも一つ以上の面に設けられた電子機器において、
第３のユニット702cが、収納時にカメラ本体701に収納された撮影レンズ部の保護と第１のユニット702a及び第２のユニット702bの保護を兼用するよう設けられているもので、
上記第１のユニット702a及び第２のユニット702bのように、収納時にカメラ本体701と第３のユニット702cの中間部に位置し、外部に露出されないユニットにおいては、その両側の面（表面（Ｆ）、裏面（Ｒ））に電子ディスプレイ部、キーボード部、フラッシュ部等の複数の機能部材を設けることができる。
【０４１３】
また、前記複数のユニットをカメラ本体の前面（-Ｚ）に収納する回動順番は、最初に第１のユニット702aを収納し、次に第２のユニット702bを収納し、最後に第３のユニット702cが収納される。
【０４１４】
なお、各面に配置されたユニットの収納がどのような回動順番で収納されるかにより、各々の支持機構の中から最適なもの選択して使用される。
【０４１５】
複数の機能を有する複数のユニットが設けられた時、各ユニットの複数の機能に対応して複数の機能をＯＮ-ＯＦＦするために設けられた図示しない複数のスイッチは、使用方法に応じた組合せにより制御されるよう設定することが可能である。
【０４１６】
そして、この第７の実施の形態は、第１の実施の形態ないし第６の実施の形態のいずれかの支持機構を有する複数のユニットがカメラ本体701の複数の面に設けられた場合のものであり、３個のユニットがカメラ本体701の３つの面に設けられている。そして、第１の実施の形態の支持機構104を有する第１のユニット702aがカメラ本体の上面（Ｙ）に設けられ、第４の実施の形態の支持機構404を有する第２のユニット702bがカメラ本体の側面（Ｘ）に設けられ、第４の実施の形態と対称の支持機構404を有する第３のユニット702cがカメラ本体の側面（-Ｘ）に設けられている。そして、第３のユニット702cが収納時にカメラ本体701に収納された撮影レンズ部の保護と第１のユニット702a及び第２のユニット702bの保護を兼用するよう設けられている。
【０４１７】
そこで、それぞれのユニットが所定の位置に回動したオープン状態において、各ユニットに設けられている電子ディスプレイ部、キーボード部、フラッシュ部等の複数の機能部材を利用することができるが、収納時には同一面に重ねて収納できるためカメラを小型化ができる。
【０４１８】
なお、第７の実施の形態においては複数の面に設けられた複数のユニットとして３個のユニットが設けられているが、２ないし４個のユニットが設けられた電子機器を構成してもよい。
【０４１９】
以上のように、本発明の各実施の形態によれば、電子ディスプレイを用いた電子機器において、モニタを可動式(360度回転方式)にすることにより、レンズ保護、モニタ保護などを可能にできる。
【０４２０】
すなわち、各実施の形態によれば、電子カメラ等のモニタ部がスライド移動と180°回動により、モニタ部の収納時にモニタユニットが撮影レンズ部の保護と電子ディスプレイ部の保護を行う方法と、モニタ部が収納状態から３６０°回動することにより、操作者の見る方向に応じてモニタ部の姿勢を変えることができる方法との両方を一つの機構で行うことができる。
【０４２１】
そこで、１軸がカメラ本体の前面（撮影レンズ側）以外に設けられたスライドガイド部をスライド移動し、さら３６０°回動する回動機構により、モニタ部が撮影レンズ部の保護と電子ディスプレイ部の保護を行うことと、操作者の見る方向に応じてモニタ部の姿勢を変えることができるように小型化することができる。
【０４２２】
また、平行する２軸の回転・回動機構を設けたことにより、モニタ部が収納時に撮影レンズ部の保護と電子ディスプレイ部の保護を兼用することと、操作者の見る方向に応じてモニタ部の姿勢を変えることができるように小型化することができた。
【０４２３】
また、電子カメラ等のモニタ部がスライド移動と180°回動により、モニタ部の収納時にモニタ部が、撮影レンズ部の保護と電子ディスプレイ部の保護を行う場合に、レンズ部が撮影時には突出し、非撮影時には電子カメラ本体内部に収納される収納式レンズ部と、モニタ部の収納方向への回動途中における当接による損傷を防止することができる。
【０４２４】
すなわち、レンズ部がカメラ本体に完全に収納状態となるまで、モニタ部が撮影レンズ部の保護を行うための収納位置に回動しないよう規制する、レンズ部収納作動に連動したガード機構があり、モニ部が撮影レンズ部の保護と電子ディスプレイ部の保護を行う時に、収納式レンズ部とモニタ部の収納方向への回動途中における当接による損傷を防止することができる。
【０４２５】
また、回動する複数のユニットとして上下に回動自在なビューファインダーと開閉用の９０°回転およびこの軸に直交する２７０°回動を行う液晶表示パネルが、カメラ本体の複数の面であるカメラ本体11の上面と片側側面に別々に設けられている構成に対し、収納時に複数の面に設けられた複数のユニットが同一面に重ねて収納されることにより、カメラを小型化することができる。
【０４２６】
すなわち、第３のユニット702cが収納時にカメラ本体701に収納された撮影レンズ部の保護と第１のユニット702a及び第２のユニット702bの保護を兼用するよう設けられている。そこで、カメラ本体701と収納時に最も外側に位置する第３のユニット702cの中間部に収納される前記第１のユニット702a及び第２のユニット702bのように、外部に露出されないユニットにおいては、その両側の面（表面（Ｆ）、裏面（Ｒ））に電子ディスプレイ部、キーボード部、フラッシュ部等の複数の機能部材を設けることができるので、複数の機能を使用する時の利便性を向上できる。
【０４２７】
また、複数の機能を有する複数のユニットが設けられた時、各ユニットの複数の機能に対応して複数の機能をＯＮ-ＯＦＦするために設けられた図示しない複数のスイッチは、使用方法に応じた組合せにより制御されるよう設定することができる。
【０４２８】
なお、上記の各実施の形態では、電子機器はデジタルカメラとして説明したが、この構成に限られず、本発明は、オーディオビジュアル機器などの電子機器の箱体のヒンジ機構として利用できる。
【０４２９】
また、第１の実施の形態において、カメラ本体の前面から上面を通ってカメラ本体の後面まで連続したスライドガイド部を設けることもできる。あるいは、第２の実施の形態において、カメラ本体の前面から側面を通ってカメラ本体の後面まで連続したスライドガイド部を設けることもできる。そして、このようなスライドガイド部を設けることにより、可動パネルに電子ディスプレイ部、キーボード部、タッチパネル部等の複数の機能部材を設けて、より自由度を高い位置及び姿勢に配置させることができる。
【０４３０】
また、第３の実施の形態において、ヒンジ部の第１の軸Ｏ１および第２の軸Ｏ２の回転範囲の規制は、規制部材であるストッパプレート334及びストッパプレート335の凸部の位置を変えて設けることにより最大で３００°程度の回転範囲を設定できる。
【０４３１】
また、第３の実施の形態〜第６の実施の形態において、ヒンジ部の第１の軸Ｏ１が時計方向及び反時計方向へ所定角度以上回転しないよう規制する構造については、ヒンジカバーとカメラのカバーの双方の外観に露出しない箇所を当接させる構造にしてもよい。
【０４３２】
また、第７の実施の形態において、回動機構を有する複数のユニットがカメラ本体701の複数の面に設けられている場合に、収納時に中間部に位置し外部に露出されないユニットにおいては、その両側の面（表面（Ｆ）、裏面（Ｒ））に電子ディスプレイ部、キーボード部、フラッシュ部等の複数の機能部材を設けてもよい。
【産業上の利用可能性】
【０４３３】
本発明は、液晶や有機EL等の電子ディスプレイを用いたモニタ部やキーボード部等が設けられた電子カメラ、携帯電話等の電子機器において、モニタ部やキーボード部が可動式になっていて、操作者の使用状況に応じてモニタ部やキーボード部等を回動および移動して使用できる構成に適用できる。また、不使用時にはモニタ部等が撮影レンズ部の保護部材となると同時に、電子ディスプレイ部やキーボード部等の保護も行うよう構成された電子機器に関する。
【図面の簡単な説明】
【０４３４】
【図１】本発明の可動パネルを備えた電子機器の第１の実施の形態を示す回動動作の説明図である。
【図２】同上第１の実施の形態の標準撮影位置の説明図である。
【図３】同上第１の実施の形態のローアングル撮影位置の説明図である。
【図４】同上第１の実施の形態の自分撮り撮影位置の説明図である。
【図５】同上第１の実施の形態の映像再生表示位置の説明図である。
【図６】同上第１の実施の形態の映像再生表示位置の説明図である。
【図７】同上第１の実施の形態のモニタユニット収納位置の説明図である。
【図８】同上第１の実施の形態の自分撮り撮影位置における構成図である。
【図９】同上第１の実施の形態の標準撮影位置における構成図である。
【図１０】同上第１の実施の形態の標準撮影位置におけるユニット構成図である。
【図１１】同上第１の実施の形態の標準撮影位置における部品展開図である。
【図１２】同上第１の実施の形態の図５に示す位置と図６に示す位置との間のスライド移動規制位置における部品展開図である。
【図１３】同上第１の実施の形態の図３に示す位置と図４に示す位置との間のスライド移動規制位置における部品展開図である。
【図１４】本発明の第２の実施の形態の回動動作の説明図である。
【図１５】同上第２の実施の形態の標準撮影位置の説明図である。
【図１６】同上第２の実施の形態のローアングル撮影位置の説明図である。
【図１７】同上第２の実施の形態の自分撮り撮影位置の説明図である。
【図１８】同上第２の実施の形態の映像再生表示位置の説明図である。
【図１９】同上第２の実施の形態の映像再生表示位置の説明図である。
【図２０】同上第２の実施の形態のモニタユニット収納位置の説明図である。
【図２１】同上第２の実施の形態の自分撮り撮影位置における構成図である。
【図２２】同上第２の実施の形態の標準撮影位置における構成図である。
【図２３】本発明の第３の実施の形態の回動動作の説明図である。
【図２４】同上第３の実施の形態のモニタユニット収納位置の説明図である。
【図２５】同上第３の実施の形態の映像再生表示位置の説明図である。
【図２６】同上第３の実施の形態の映像再生表示位置の説明図である。
【図２７】同上第３の実施の形態の映像再生表示位置の説明図である。
【図２８】同上第３の実施の形態の標準撮影位置の説明図である。
【図２９】同上第３の実施の形態のローアングル撮影位置の説明図である。
【図３０】同上第３の実施の形態の自分撮り撮影位置の説明図である。
【図３１】同上第３の実施の形態の映像再生表示位置の説明図である。
【図３２】同上第３の実施の形態の自分撮り撮影位置における構成図である。
【図３３】同上第３の実施の形態の標準撮影位置における構成図である。
【図３４】同上第３の実施の形態の標準撮影位置におけるユニット構成図である。
【図３５】同上第３の実施の形態の標準撮影位置における部品展開図である。
【図３６】同上第３の実施の形態の標準撮影位置における一側のストッパプレートの部分の詳細部品展開図である。
【図３７】同上第３の実施の形態の標準撮影位置における他側のストッパプレートの部分の詳細部品展開図である。
【図３８】本発明の第４の実施の形態の回動動作の説明図である。
【図３９】同上第４の実施の形態のモニタユニット収納位置の説明図である。
【図４０】同上第４の実施の形態の映像再生表示位置の説明図である。
【図４１】同上第４の実施の形態の映像再生表示位置の説明図である。
【図４２】同上第４の実施の形態の映像再生表示位置の説明図である。
【図４３】同上第４の実施の形態の標準撮影位置の説明図である。
【図４４】同上第４の実施の形態のローアングル撮影位置の説明図である。
【図４５】同上第４の実施の形態の自分撮り撮影位置の説明図である。
【図４６】同上第４の実施の形態の映像再生表示位置の説明図である。
【図４７】同上第４の実施の形態の自分撮り撮影位置における構成図である。
【図４８】同上第４の実施の形態の標準撮影位置における構成図である。
【図４９】本発明の第５の実施の形態の回動動作の説明図である。
【図５０】同上第５の実施の形態のモニタユニット収納位置の説明図である。
【図５１】同上第５の実施の形態の映像再生表示位置の説明図である。
【図５２】同上第５の実施の形態の映像再生表示位置の説明図である。
【図５３】同上第５の実施の形態の映像再生表示位置の説明図である。
【図５４】同上第５の実施の形態の標準撮影位置の説明図である。
【図５５】同上第５の実施の形態のローアングル撮影位置の説明図である。
【図５６】同上第５の実施の形態の自分撮り撮影位置の説明図である。
【図５７】同上第５の実施の形態の映像再生表示位置の説明図である。
【図５８】同上第５の実施の形態の自分撮り撮影位置における構成図である。
【図５９】同上第５の実施の形態の標準撮影位置における構成図である。
【図６０】本発明の第６の実施の形態の回動動作の説明図である。
【図６１】同上第６の実施の形態のモニタユニット収納位置の説明図である。
【図６２】同上第６の実施の形態の映像再生表示位置の説明図である。
【図６３】同上第６の実施の形態の映像再生表示位置の説明図である。
【図６４】同上第６の実施の形態の映像再生表示位置の説明図である。
【図６５】同上第６の実施の形態の標準撮影位置の説明図である。
【図６６】同上第６の実施の形態のローアングル撮影位置の説明図である。
【図６７】同上第６の実施の形態の自分撮り撮影位置の説明図である。
【図６８】同上第６の実施の形態の映像再生表示位置の説明図である。
【図６９】同上第６の実施の形態の自分撮り撮影位置における構成図である。
【図７０】同上第６の実施の形態の標準撮影位置における構成図である。
【図７１】本発明の第７の実施の形態の収納状態の斜視図である。
【図７２】同上第７の実施の形態のオープン状態の斜視図である。
【符号の説明】
【０４３５】
100，200，300，400，500，600，700    電子機器としてのデジタルカメラ
101，201，301，401，501，601，701    機器本体としてのカメラ本体
102，202，302，402，502，602    可動パネルとしてのモニタユニット
104，204    支持機構としてのスライドユニット
105，205，305，405，505，605，705    本体側機能部を構成するレンズ部としてのレンズユニット
107，207，307，407，507，607，707    パネル側機能部を構成するモニタ部としての電子ディスプレイ
304，404，504，604    支持機構としてのヒンジユニット
702a    可動パネルとしての第１のユニット
702b    可動パネルとしての第２のユニット
702c    可動パネルとしての第３のユニット
Ｏ１    第１の軸
Ｏ２    第２の軸
Ｘ    第３の面部としての側面
Ｙ    第３の面部としての上面
-Ｚ   第１の面部としての前面
Ｚ    第２の面部としての後面
【図１】
2005192093.tif 000009
【図２】
2005192093.tif 000010
【図３】
2005192093.tif 000011
【図４】
2005192093.tif 000012
【図５】
2005192093.tif 000013
【図６】
2005192093.tif 000014
【図７】
2005192093.tif 000015
【図８】
2005192093.tif 000016
【図９】
2005192093.tif 000017
【図１０】
2005192093.tif 000018
【図１１】
2005192093.tif 000019
【図１２】
2005192093.tif 000020
【図１３】
2005192093.tif 000021
【図１４】
2005192093.tif 000022
【図１５】
2005192093.tif 000023
【図１６】
2005192093.tif 000024
【図１７】
2005192093.tif 000025
【図１８】
2005192093.tif 000026
【図１９】
2005192093.tif 000027
【図２０】
2005192093.tif 000028
【図２１】
2005192093.tif 000029
【図２２】
2005192093.tif 000030
【図２３】
2005192093.tif 000031
【図２４】
2005192093.tif 000032
【図２５】
2005192093.tif 000033
【図２６】
2005192093.tif 000034
【図２７】
2005192093.tif 000035
【図２８】
2005192093.tif 000036
【図２９】
2005192093.tif 000037
【図３０】
2005192093.tif 000038
【図３１】
2005192093.tif 000039
【図３２】
2005192093.tif 000040
【図３３】
2005192093.tif 000041
【図３４】
2005192093.tif 000042
【図３５】
2005192093.tif 000043
【図３６】
2005192093.tif 000044
【図３７】
2005192093.tif 000045
【図３８】
2005192093.tif 000046
【図３９】
2005192093.tif 000047
【図４０】
2005192093.tif 000048
【図４１】
2005192093.tif 000049
【図４２】
2005192093.tif 000050
【図４３】
2005192093.tif 000051
【図４４】
2005192093.tif 000052
【図４５】
2005192093.tif 000053
【図４６】
2005192093.tif 000054
【図４７】
2005192093.tif 000055
【図４８】
2005192093.tif 000056
【図４９】
2005192093.tif 000057
【図５０】
2005192093.tif 000058
【図５１】
2005192093.tif 000059
【図５２】
2005192093.tif 000060
【図５３】
2005192093.tif 000061
【図５４】
2005192093.tif 000062
【図５５】
2005192093.tif 000063
【図５６】
2005192093.tif 000064
【図５７】
2005192093.tif 000065
【図５８】
2005192093.tif 000066
【図５９】
2005192093.tif 000067
【図６０】
2005192093.tif 000068
【図６１】
2005192093.tif 000069
【図６２】
2005192093.tif 000070
【図６３】
2005192093.tif 000071
【図６４】
2005192093.tif 000072
【図６５】
2005192093.tif 000073
【図６６】
2005192093.tif 000074
【図６７】
2005192093.tif 000075
【図６８】
2005192093.tif 000076
【図６９】
2005192093.tif 000077
【図７０】
2005192093.tif 000078
【図７１】
2005192093.tif 000079
【図７２】
2005192093.tif 000080